(57)【要約】【課題】エネルギー消費効率に優れた空調システムを提供する。【解決手段】暖房システム１０は、ファンユニット２０と、ＧＦユニット３０と、ＨＰユニット４０と、コントローラ６０と、を備える。ＧＦユニット３０は、熱交換部３１を含む。ＨＰユニット４０は、室内熱交換器４２を含む。ファンユニット２０は、熱交換部３１及び室内熱交換器４２を通過する空気流ＡＦ１を生成する。コントローラ６０は、ＧＦユニット３０及びＨＰユニット４０の動作を制御する。コントローラ６０は、運転モードとして、ＧＦユニット３０を熱源機として単独で稼動させる第１運転モードと、ＨＰユニット４０を熱源機として単独で稼動させる第２運転モードと、ＧＦユニット３０及びＨＰユニット４０を熱源機として同時に稼動させる第３運転モードと、を有し、外気温Ｔｏに関連するパラメータに基づいて、運転モードを選択する。【選択図】図７
2015068607.tif 000002
【特許請求の範囲】
【請求項１】
冷媒の放熱器（４２）を含むヒートポンプユニット（４０）と、
通過する空気を加熱する加熱部（３１）を含むガスファーネスユニット（３０）と、
前記放熱器及び前記加熱部を通過する空気流（ＡＦ１）を生成する送風機（２０）と、
前記ヒートポンプユニット、前記ガスファーネスユニット及び前記送風機の動作を制御するコントローラ（６０）と、
を備え、
前記コントローラは、
運転モードとして、前記ガスファーネスユニットを熱源機として単独で稼動させる第１運転モードと、前記ヒートポンプユニットを熱源機として単独で稼動させる第２運転モードと、前記ガスファーネスユニット及び前記ヒートポンプユニットを熱源機として同時に稼動させる第３運転モードと、を有し、
外気の温度である外気温（Ｔｏ）に関連するパラメータに基づいて、前記運転モードを選択する、
空調システム（１０）。
【請求項２】
前記外気温を検出する第１温度センサ（５０）をさらに備え、
前記コントローラは、
前記外気温が第１基準値（Ｓｖ１）未満である時に、前記第１運転モードを選択し、
前記外気温が前記第１基準値よりも高い温度である第２基準値（Ｓｖ２）以上である時に、前記第２運転モードを選択し、
前記外気温が前記第１基準値以上前記第２基準値未満である時に、前記第３運転モードを選択する、
請求項１に記載の空調システム。
【請求項３】
前記ヒートポンプユニットにおいて冷媒の蒸発温度（Ｔｅ）を検出する第２温度センサ（４８）をさらに備え、
前記コントローラは、
前記蒸発温度が第３基準値（Ｓｖ３）未満である時に前記第１運転モードを選択し、
前記蒸発温度が前記第３基準値よりも高い温度である第４基準値（Ｓｖ４）以上である時に前記第２運転モードを選択し、
前記蒸発温度が前記第３基準値以上前記第４基準値未満である時に前記第３運転モードを選択する、
請求項１に記載の空調システム。
【請求項４】
前記外気温を検出する第１温度センサ（５０）と、
室内に設置され、前記室内の温度である室内温度（Ｔｉ）を検出する第３温度センサ（５３）と、
をさらに備え、
前記コントローラは、前記第３運転モードにおいて、
前記外気温、前記室内温度及び予め設定される設定温度（Ｔｐ）に基づいて、前記ガスファーネスユニットによって処理される熱負荷である第１負荷（Ｇｌ）と、前記ヒートポンプユニットによって処理される熱負荷である第２負荷（Ｈｌ）と、を算出し、
前記第１負荷及び前記第２負荷に基づいて前記ガスファーネスユニット及び前記ヒートポンプユニットの運転容量を調整する、
請求項１から３のいずれか１項に記載の空調システム。
【請求項５】
前記ヒートポンプユニットは、冷媒を圧縮する圧縮機（４５）をさらに含み、
前記圧縮機は、前記コントローラによって回転数を可変に調整され、
前記コントローラは、前記第３運転モードにおいて、前記圧縮機の回転数を前記第２負荷に基づいて決定する、
請求項４に記載の空調システム。
【請求項６】
前記ガスファーネスユニットは、ガスが燃焼する燃焼部（３６）をさらに含み、
前記コントローラは、前記第３運転モードにおいて、前記燃焼部の容量を前記第１負荷に基づいて決定する、
請求項４又は５に記載の空調システム。
【請求項７】
室内に設置され、前記室内の温度である室内温度（Ｔｉ）を検出する第３温度センサ（５３）をさらに備え、
前記ガスファーネスユニットは、ガスが燃焼する燃焼部（３６）をさらに含み、
前記コントローラは、前記第３運転モードにおいて、
予め設定される設定温度（Ｔｐ）から前記室内温度を減じた値である第１差分値（Ｄｖ１）が第１閾値（ΔＴｈ１）以上である時には、前記燃焼部を第１状態で稼動させ、
前記第１差分値が前記第１閾値未満である時には、前記第１状態よりも容量が低い第２状態で前記燃焼部を稼動させるか、又は前記燃焼部の動作を停止させる、
請求項１から３のいずれか１項に記載の空調システム。
【請求項８】
室内に設置され、前記室内の温度である室内温度（Ｔｉ）を検出する第３温度センサ（５２）をさらに備え、
前記ヒートポンプユニットは、ガス冷媒を圧縮する圧縮機（４５）をさらに含み、
前記圧縮機は、前記コントローラによって回転数を可変に調整され、
前記コントローラは、前記第３運転モードにおいて、
前記室内温度から予め設定される設定温度（Ｔｐ）を減じた値である第２差分値（Ｄｖ２）が第２閾値（ΔＴｈ２）未満の時には、前記圧縮機の回転数を第１回転数に設定し、
前記第２差分値が前記第２閾値以上の時には、前記圧縮機の回転数を前記第１回転数よりも低い第２回転数に設定するか、又は前記圧縮機の駆動を停止させる、
請求項１から３のいずれか１項に記載の空調システム。
【請求項９】
前記コントローラは、前記第３運転モードにおいて、
前記ガスファーネスユニット及び前記ヒートポンプユニットのうち、いずれか一方を主熱源機として稼動させるとともに、他方を補助熱源機として稼動させ、
前記ガスファーネスユニットを前記主熱源機として稼動させた場合の第１コスト（Ｇｃ）と、前記ヒートポンプユニットを前記主熱源機として稼動させた場合の第２コスト（Ｈｃ）と、をそれぞれ算出し、
前記第１コストが前記第２コストよりも低い時には、前記ガスファーネスユニットを前記主熱源機として稼動させるとともに、前記ヒートポンプユニットを前記補助熱源機として稼動させ、
前記第１コストが前記第２コストよりも高い時には、前記ヒートポンプユニットを前記主熱源機として稼動させるとともに、前記ガスファーネスユニットを前記補助熱源機として稼動させ、
前記補助熱源機によって処理される熱負荷である第３負荷（Ｇｌ、Ｈｌ）を算出し、
前記補助熱源機の運転容量を、前記第３負荷に基づいて調整する、
請求項１から３のいずれか１項に記載の空調システム。
【発明の詳細な説明】
【技術分野】
【０００１】
本発明は、ガスファーネスユニットとヒートポンプユニットとを備える空調システムに関する。
【背景技術】
【０００２】
従来、ガスファーネスユニットとヒートポンプユニットとを備え対象空間の空気調和を実現する空調システムがある。例えば特許文献１（特開平１−５４１６０号公報）には、ガスファーネスユニットとヒートポンプユニットとを備え、運転開始時において、外気温が所定温度未満であればガスファーネスユニットを熱源機として選択し、外気温が所定温度以上であればヒートポンプユニットを熱源機として選択する空調システムが開示されている。
【発明の概要】
【発明が解決しようとする課題】
【０００３】
しかし、特許文献１に示される空調装置では、ガスファーネスユニット及びヒートポンプユニットのうち一方を単独で稼動させており、場合によっては優れたエネルギー消費効率が実現されにくいことが想定される。
【０００４】
そこで本発明の課題は、エネルギー消費効率に優れた空調システムを提供することである。
【課題を解決するための手段】
【０００５】
本発明の第１観点に係る空調システムは、ヒートポンプユニットと、ガスファーネスユニットと、送風機と、コントローラと、を備える。ヒートポンプユニットは、冷媒の放熱器を含む。ガスファーネスユニットは、加熱部を含む。加熱部は、通過する空気を加熱する。送風機は、放熱器及び加熱部を通過する空気流を生成する。コントローラは、ヒートポンプユニット、ガスファーネスユニット及び送風機の動作を制御する。コントローラは、運転モードとして、第１運転モードと、第２運転モードと、第３運転モードと、を有する。コントローラは、第１運転モードにおいては、ガスファーネスユニットを熱源機として単独で稼動させる。コントローラは、第２運転モードにおいては、ヒートポンプユニットを熱源機として単独で稼動させる。コントローラは、第３運転モードにおいては、ガスファーネスユニット及びヒートポンプユニットを熱源機として同時に稼動させる。コントローラは、外気の温度である外気温に関連するパラメータに基づいて、運転モードを選択する。
【０００６】
本発明の第１観点に係る空調システムでは、コントローラは、運転モードとして、ガスファーネスユニットを熱源機として単独で稼動させる第１運転モードと、ヒートポンプユニットを熱源機として単独で稼動させる第２運転モードと、ガスファーネスユニット及びヒートポンプユニットを熱源機として同時に稼動させる第３運転モードと、を有し、外気温に関連するパラメータに基づいて運転モードを選択する。これにより、時間に伴って変化する外気温に関連するパラメータに応じて、エネルギー消費効率に優れた運転モードを選択することが可能となる。すなわち、ヒートポンプユニット及びガスファーネスユニットのうち、いずれを熱源機として稼動させるか、又は双方を熱源機として稼動させるか、をエネルギー消費効率の優劣に基づいて決定することが可能となる。よって、エネルギー消費効率の低下を抑制できる。したがって、エネルギー消費効率に優れた空気調和を実現できる。
【０００７】
なお、エネルギー消費効率とは、成績係数（ＣＯＰ、Coefficient of Performance）などを目安として表され、具体的には機器の能力を消費エネルギーで除した値である。また、機器の能力とは、例えばヒートポンプユニット又はガスファーネスユニットの熱負荷処理能力であり、ワット等の単位で表される。また、消費エネルギーとは、例えばヒートポンプユニットの消費電力やガスファーネスユニットの消費ガス量であり、ワット等の単位で表される。
【０００８】
本発明の第２観点に係る空調システムは、第１観点に係る空調システムであって、第１温度センサをさらに備える。第１温度センサは、外気温を検出する。コントローラは、外気温が第１基準値未満である時に、第１運転モードを選択する。コントローラは、外気温が第２基準値以上である時に、第２運転モードを選択する。第２基準値は、第１基準値よりも高い温度である。コントローラは、外気温が第１基準値以上第２基準値未満である時に、第３運転モードを選択する。
【０００９】
本発明の第２観点に係る空調システムでは、コントローラは、外気温が、第１基準値未満である時に第１運転モードを選択し、第１基準値よりも高い温度である第２基準値以上である時に第２運転モードを選択し、第１基準値以上第２基準値未満である時に第３運転モードを選択する。これにより、時間に伴って変化する外気温に応じて、エネルギー消費効率に優れた運転モードを選択することが可能となる。よって、エネルギー消費効率の低下を精度よく抑制できる。
【００１０】
本発明の第３観点に係る空調システムは、第１観点に係る空調システムであって、第２温度センサをさらに備える。第２温度センサは、ヒートポンプユニットにおいて冷媒の蒸発温度を検出する。コントローラは、蒸発温度が第３基準値未満である時に第１運転モードを選択する。コントローラは、蒸発温度が第４基準値以上である時に第２運転モードを選択する。第４基準値は、第３基準値よりも高い温度である。コントローラは、蒸発温度が第３基準値以上第４基準値未満である時に第３運転モードを選択する。
【００１１】
本発明の第３観点に係る空調システムでは、コントローラは、蒸発温度が第３基準値未満である時に第１運転モードを選択し、蒸発温度が第３基準値よりも高い温度である第４基準値以上である時に第２運転モードを選択し、蒸発温度が第３基準値以上第４基準値未満である時に第３運転モードを選択する。これにより、外気温に関連して時間に伴い変化する蒸発温度に応じて、エネルギー消費効率に優れた運転モードを選択することが可能となる。よって、エネルギー消費効率の低下を精度よく抑制できる。
【００１２】
本発明の第４観点に係る空調システムは、第１観点から第３観点のいずれかに係る空調システムであって、第１温度センサと、第３温度センサと、をさらに備える。第１温度センサは、外気温を検出する。第３温度センサは、室内に設置され、室内の温度である室内温度を検出する。コントローラは、第３運転モードにおいて、外気温、室内温度及び予め設定される設定温度に基づいて、第１負荷と、第２負荷と、を算出する。第１負荷は、ガスファーネスユニットによって処理される熱負荷である。第２負荷は、ヒートポンプユニットによって処理される熱負荷である。コントローラは、第３運転モードにおいて、第１負荷及び第２負荷に基づいて、ガスファーネスユニット及びヒートポンプユニットの運転容量を調整する。
【００１３】
本発明の第４観点に係る空調システムでは、コントローラは、第３運転モードにおいて、外気温、室内温度及び設定温度に基づいて、ガスファーネスユニットによって処理される熱負荷である第１負荷と、ヒートポンプユニットによって処理される熱負荷である第２負荷と、を算出し、第１負荷及び第２負荷に基づいてガスファーネスユニット及びヒートポンプユニットの運転容量を調整する。これにより、ヒートポンプユニット及びガスファーネスユニットを熱源機として同時に稼動させている場合において、外気温、室内温度及び設定温度の変化に応じて、ヒートポンプユニット及びガスファーネスユニットのそれぞれの運転容量をリアルタイムに調整することが可能となる。このため、ヒートポンプユニット及びガスファーネスユニットを、エネルギー消費効率に優れた運転容量で稼動させることができる。よって、エネルギー消費効率の低下をさらに精度よく抑制できる。
【００１４】
本発明の第５観点に係る空調システムは、第４観点に係る空調システムであって、ヒートポンプユニットは、圧縮機をさらに含む。圧縮機は、冷媒を圧縮する。圧縮機は、コントローラによって回転数を可変に調整される。コントローラは、第３運転モードにおいて、圧縮機の回転数を第２負荷に基づいて決定する。
【００１５】
本発明の第５観点に係る空調システムでは、コントローラは、第３運転モードにおいて、圧縮機の回転数を第２負荷に基づいて決定する。これにより、ヒートポンプユニット及びガスファーネスユニットを熱源機として同時に稼動させている場合において、外気温、室内温度及び設定温度の変化に応じて、ヒートポンプユニットの運転容量を精度よくリアルタイムに調整することが可能となる。このため、ヒートポンプユニットを、エネルギー消費効率に優れた運転容量で稼動させることができる。よって、エネルギー消費効率の低下をさらに精度よく抑制できる。
【００１６】
本発明の第６観点に係る空調システムは、第４観点又は第５観点に係る空調システムであって、ガスファーネスユニットは、燃焼部をさらに含む。燃焼部では、ガスが燃焼する。コントローラは、第３運転モードにおいて、燃焼部の容量を第１負荷に基づいて決定する。
【００１７】
本発明の第６観点に係る空調システムでは、コントローラは、第３運転モードにおいて、燃焼部の容量を第１負荷に基づいて決定する。これにより、ヒートポンプユニット及びガスファーネスユニットを熱源機として同時に稼動させている場合において、外気温、室内温度及び設定温度の変化に応じて、ガスファーネスユニットの運転容量を精度よく調整することが可能となる。このため、ガスファーネスユニットを、エネルギー消費効率に優れた運転容量で稼動させることができる。このため、エネルギー消費効率の低下をさらに精度よく抑制できる。
【００１８】
本発明の第７観点に係る空調システムは、第１観点から第３観点のいずれかに係る空調システムであって、第３温度センサをさらに備える。第３温度センサは、室内に設置され、室内の温度である室内温度を検出する。ガスファーネスユニットは、燃焼部をさらに含む。燃焼部では、ガスが燃焼する。コントローラは、第３運転モードにおいて、第１差分値が第１閾値以上である時には、燃焼部を第１状態で稼動させる。第１差分値は、予め設定される設定温度から室内温度を減じた値である。コントローラは、第３運転モードにおいて、第１差分値が第１閾値未満である時には、第２状態で燃焼部を稼動させるか、又は燃焼部の動作を停止させる。第２状態は第１状態よりも容量が低い状態である。
【００１９】
本発明の第７観点に係る空調システムでは、コントローラは、第３運転モードにおいて、設定温度から室内温度を減じた値である第１差分値が第１閾値以上である時には、燃焼部を第１状態で稼動させ、第１差分値が第１閾値未満である時には、第１状態よりも容量が低い第２状態で燃焼部を稼動させるか、又は燃焼部の動作を停止させる。これにより、ヒートポンプユニット及びガスファーネスユニットを熱源機として同時に稼動させている場合において、室内温度が設定温度に近づいた時には、ガスファーネスユニットは運転容量を低減するか稼動を停止する。このため、室内温度が設定温度を超えることが抑制される。よって、快適性に優れた空気調和を実現できる。
【００２０】
本発明の第８点に係る空調システムは、第１観点から第３観点のいずれかに係る空調システムであって、第３温度センサをさらに備える。第３温度センサは、室内に設置され、室内の温度である室内温度を検出する。ヒートポンプユニットは、圧縮機をさらに含む。圧縮機は、冷媒を圧縮する。圧縮機は、コントローラによって回転数を可変に調整される。コントローラは、第３運転モードにおいて、第２差分値が第２閾値未満の時には、圧縮機の回転数を第１回転数に設定する。第２差分値は、室内温度から予め設定される設定温度を減じた値である。コントローラは、第３運転モードにおいて、第２差分値が第２閾値以上の時には、圧縮機の回転数を第２回転数に設定するか、又は圧縮機の駆動を停止させる。第２回転数は、第１回転数よりも低い回転数である。
【００２１】
本発明の第８観点に係る空調システムでは、コントローラは、第３運転モードにおいて、室内温度から予め設定される設定温度を減じた値である第２差分値が第２閾値未満の時には、圧縮機の回転数を第１回転数に設定し、第２差分値が第２閾値以上の時には、圧縮機の回転数を第１回転数よりも低い第２回転数に設定するか、又は圧縮機の駆動を停止させる。これにより、ヒートポンプユニット及びガスファーネスユニットを熱源機として同時に稼動させている場合において、室内温度が設定温度を所定値を超えて上回った時には、ヒートポンプユニットは運転容量を低減するか稼動を停止する。このため、室内温度が設定温度付近で保たれやすい。よって、快適性に優れた空気調和を実現できる。
【００２２】
本発明の第９点に係る空調システムは、第１観点から第３観点のいずれかに係る空調システムであって、コントローラは、第３運転モードにおいて、ガスファーネスユニット及びヒートポンプユニットのうち、いずれか一方を主熱源機として稼動させるとともに、他方を補助熱源機として稼動させる。コントローラは、第３運転モードにおいて、第１コストと、第２コストと、をそれぞれ算出する。第１コストは、ガスファーネスユニットを主熱源機として稼動させた場合のコストである。第２コストは、ヒートポンプユニットを主熱源機として稼動させた場合のコストである。コントローラは、第３運転モードにおいて、第１コストが第２コストよりも低い時には、ガスファーネスユニットを主熱源機として稼動させるとともに、ヒートポンプユニットを補助熱源機として稼動させる。コントローラは、第３運転モードにおいて、第１コストが第２コストよりも高い時には、ヒートポンプユニットを主熱源機として稼動させるとともに、ガスファーネスユニットを補助熱源機として稼動させる。コントローラは、第３運転モードにおいて、第３負荷を算出する。第３負荷は、補助熱源機によって処理される熱負荷である。コントローラは、第３運転モードにおいて、補助熱源機の運転容量を、第３負荷に基づいて調整する。
【００２３】
本発明の第９観点に係る空調システムでは、第３運転モードにおいて、ガスファーネスユニット及びヒートポンプユニットのうち、コストが低い方を主熱源機として稼動させるとともに、コストが高い方を補助熱源機として稼動させ、補助熱源機によって処理される第３負荷を算出して補助熱源機の運転容量を調整する。これにより、ヒートポンプユニット及びガスファーネスユニットを同時運転する場合において、ヒートポンプユニット及びガスファーネスユニットのうち、コストが低いほうの運転容量を高く設定し、コストが高いほうの運転容量を低く設定することが可能となる。このため、コストの上昇を抑制することができる。よって、経済性に優れた空気調和を実現できる。
【発明の効果】
【００２４】
本発明の第１観点に係る冷凍装置では、エネルギー消費効率の低下を抑制できる。したがって、エネルギー消費効率に優れた空気調和を実現できる。
【００２５】
本発明の第２観点及び第３観点に係る冷凍装置では、エネルギー消費効率の低下を精度よく抑制できる。
【００２６】
本発明の第４観点から第６観点に係る冷凍装置では、エネルギー消費効率の低下をさらに精度よく抑制できる。
【００２７】
本発明の第７観点及び第８観点に係る冷凍装置では、快適性に優れた空気調和を実現できる。
【００２８】
本発明の第９観点に係る冷凍装置では、経済性に優れた空気調和を実現できる。
【図面の簡単な説明】
【００２９】
【図１】本発明の一実施形態に係る暖房システムの配置を示す模式図。
【図２】本体ケーシング内部の概略構成図。
【図３】ガスファーネス本体部内の概略構成図。
【図４】ヒートポンプユニットの冷媒回路図。
【図５】コントローラの構成と、コントローラに接続されている機器と、を示す模式図。
【図６】切換制御部の構成を示す模式図。
【図７】切換制御部の処理の流れを示すフローチャート。
【図８】運転開始指示が入力された場合における各部の状態の変化の一例を示すタイミングチャート。
【図９】変形例Ｏに係る切換制御部の処理の流れを示すフローチャート。
【発明を実施するための形態】
【００３０】
以下、図面を参照しながら、本発明の一実施形態に係る暖房システム１０について説明する。なお、以下の実施形態は、本発明の具体例であって、本発明の技術的範囲を限定するものではなく、発明の要旨を逸脱しない範囲で適宜変更が可能である。
【００３１】
（１）暖房システム１０
図１は、本発明の一実施形態に係る暖房システム１０の配置を示す模式図である。暖房システム１０は、住宅等の平屋や低層の建物等に適用可能である。本実施形態において、暖房システム１０は、２階建て構造の住宅１００に設置されている。住宅１００には、１階において部屋１０１及び１０２が設けられ、２階において部屋１０３及び１０４が設けられている。部屋１０１、１０２、１０３及び１０４には、通風口ＡＨがそれぞれ形成されている。また、住宅１００には、地下室１０５が設けられている。
【００３２】
暖房システム１０は、いわゆるダクト式の空調システムであって、主として、本体ケーシング１１と、ダクト１５と、ファンユニット２０と、ガスファーネスユニット（以下、ＧＦユニットと記載）３０と、ヒートポンプユニット（以下、ＨＰユニットと記載）４０と、電装品ユニット５２と、を備えている。暖房システム１０は、所定条件に応じて、ＧＦユニット３０及びＨＰユニット４０のうち一方又は双方を熱源機として稼動させて、部屋１０１から１０４内の空気調和を実現する。以下、各部について説明する。
【００３３】
（２）各部の詳細
（２−１）本体ケーシング１１
図２は、本体ケーシング１１内の概略構成図である。本体ケーシング１１は、例えば金属製の筐体である。本体ケーシング１１の内部には、ファンユニット２０と、ＧＦユニット３０の熱交換部３１（後述）と、ＨＰユニット４０の室内熱交換器４２（後述）と、が配設されている。本体ケーシング１１の底部及び底部近傍の側部には、空気を取り込むための吸気口１２が形成されている。本体ケーシング１１の上部には、取り込んだ空気を排出するための排気口１３が形成されている。本体ケーシング１１の側部には、各種の電装品を収容するための電装品箱１４が設けられている。電装品箱１４には、内部に設置される電装品を冷却する空気を取り入れるための通風口（図示省略）が形成されている。
【００３４】
（２−２）ダクト１５
ダクト１５は、空気を送るための金属製の配管である。ダクト１５は、排気口１３を介して本体ケーシング１１に接続され、本体ケーシング１１内部と連通している。ダクト１５は、本体ケーシング１１との接続部分から上方へ延び、途中で二手に分岐している。二手に分岐したダクト１５の一方は、地下室１０５の天井部に沿って延び、さらに途中で分岐して部屋１０１の通風口ＡＨ及び部屋１０２の通風口ＡＨに接続されることで、部屋１０１及び１０２と連通している。二手に分岐したダクト１５の他方は、上方に延びてから１階の天井部に沿って延び、さらに途中で分岐して部屋１０３の通風口ＡＨ及び部屋１０４の通風口ＡＨに接続されることで、部屋１０３及び１０４と連通している。このように配設されるダクト１５を介して、本体ケーシング１１内部と、部屋１０１から１０４とが連通している。
【００３５】
（２−３）ファンユニット２０
ファンユニット２０（特許請求の範囲記載の「送風機」に相当）は、空気流ＡＦ１を生成するためのユニットである。ファンユニット２０は、本体ケーシング１１内の底部近傍に配設されている。ファンユニット２０は、ファン２１と、第１ファンモータＭ２１と、を有している。
【００３６】
ファン２１は、例えばプロペラファンや多翼ファン等の送風機である。ファン２１は、第１ファンモータＭ２１の回転軸と接続されている。第１ファンモータＭ２１は、電装品箱１４に収容される第１電力供給部２１１とケーブル（図示省略）を介して接続されており、第１電力供給部２１１から電力を供給される。電力の供給を受けて第１ファンモータＭ２１が駆動すると、ファン２１が回転する。ファン２１が回転すると、空気流ＡＦ１が生成される。
【００３７】
空気流ＡＦ１は、吸気口１２から本体ケーシング１１内に流入し、ＨＰユニット４０の室内熱交換器４２（後述）及びＧＦユニット３０の熱交換部３１（後述）を順に通過した後、排気口１３を介して本体ケーシング１１外部へ流出し、ダクト１５及び各通風口ＡＨを介して部屋１０１から１０４内へ流入する空気の流れである。
【００３８】
（２−４）ＧＦユニット（ガスファーネスユニット）３０
ＧＦユニット３０は、主として、熱交換部３１と、ガスファーネス本体部（以下、ＧＦ本体部と記載）３２と、排気ダクト３３と、から構成されている。
【００３９】
（２−４−１）熱交換部３１
熱交換部３１は、本体ケーシング１１内に設けられる。具体的には、熱交換部３１は、本体ケーシング１１内に配設される燃焼ガスパイプ３７（後述）を指している。熱交換部３１内に燃焼ガス（後述）が存在する場合において空気流ＡＦ１が生成されると、空気流ＡＦ１と熱交換部３１との間で熱交換が行われる。すなわち、ＧＦユニット３０が熱源機として稼動する際、熱交換部３１は、通過する空気流ＡＦ１を加熱する「加熱部」として機能する。
【００４０】
（２−４−２）ＧＦ本体部（ガスファーネス本体部）３２
図３は、ＧＦ本体部３２内の概略構成図である。ＧＦ本体部３２は、本体ケーシング１１に隣接して配置されている。ＧＦ本体部３２には、例えば気化した液化天然ガスや液化石油ガス等の燃料ガスを供給するガス管ＧＰが接続されている。ＧＦ本体部３２内には、主として、ファン３４と、ガスバルブ３５と、燃焼部３６と、燃焼ガスパイプ３７と、排気ヘッダ３８と、が収容されている。
【００４１】
ファン３４は、例えばプロペラファンや多翼ファン等の送風機であり、本実施形態ではシロッコファンである。ファン３４は、ファンロータ３４１を含んでいる。ファンロータ３４１は、第２ファンモータ（図示省略）の回転軸と接続されている。第２ファンモータは、電装品箱１４内に配設される第２電力供給部３４２とケーブル（図示省略）を介して接続されており、第２電力供給部３４２から電力を供給される。電力の供給を受けて第２ファンモータが駆動すると、ファンロータ３４１が回転して空気流ＡＦ２が生成される。空気流ＡＦ２は、ＧＦ本体部３２に形成された吸入口（図示省略）からＧＦ本体部３２内に流入し、燃焼部３６、燃焼ガスパイプ３７及び排気ヘッダ３８を通過して、排気ダクト３３を介してＧＦ本体部３２外へ流出する空気の流れである。ファン３４は、燃焼部３６と連通しており、ファン３４によって生成された空気流ＡＦ２は、燃焼部３６に流入するようになっている。
【００４２】
ガスバルブ３５は、例えば電動弁等のバルブであり、本実施形態では電磁弁である。ガスバルブ３５は、ＧＦ本体部３２外から燃焼部３６まで延びるガス管ＧＰ上に配設されている。ガスバルブ３５は、電装品箱１４内に配設されるガスバルブ開閉部３５１とケーブル（図示省略）を介して接続されており、開閉を制御されている。ガスバルブ３５が開けられると、ガス管ＧＰを流れる燃料ガスは、燃焼部３６内へ流入して、空気流ＡＦ２に含まれる空気と混ざり合う。ガスバルブ３５が閉じられると、燃焼部３６内へ燃料ガスの供給が止められる。
【００４３】
燃焼部３６には、プラグ３６１が配設されている。プラグ３６１は、電装品箱１４内に配設されるプラグ用電力供給部３６２とケーブル（図示省略）を介して接続されており、電力を供給される。ファン３４が駆動した状態でガスバルブ３５が開けられると、燃焼部３６内において空気流ＡＦ２と燃料ガスとが混合される。この状態において、プラグ用電力供給部３６２からプラグ３６１に電力が供給されると、放電を生じて点火がなされる。これにより、混合したガスは燃焼して燃焼ガスとなる。燃焼部３６には燃焼ガスパイプ３７が接続されており、燃焼ガスは、空気流ＡＦ２として燃焼ガスパイプ３７へ流入する。
【００４４】
燃焼ガスパイプ３７は、一端を燃焼部３６に接続され、他端を排気ヘッダ３８に接続されている。より詳細には、燃焼ガスパイプ３７は、燃焼部３６から鉛直方向に延びた後、湾曲して本体ケーシング１１まで水平に延びている。そして、燃焼ガスパイプ３７は、熱交換部３１として本体ケーシング１１の内部において水平に延びている。その後、燃焼ガスパイプ３７は、折り返されてＧＦ本体部３２内の排気ヘッダ３８まで延びている。燃焼ガスパイプ３７へ流入した燃焼ガスは、本体ケーシング１１内部の熱交換部３１を通過する際、空気流ＡＦ１と熱交換した後、排気ヘッダ３８に流入する。なお、燃焼ガスパイプ３７のうち、ＧＦ本体部３２と本体ケーシング１１との間において延びる部分は、金属板３９によって囲われて保護されている。
【００４５】
排気ヘッダ３８では、燃焼ガスパイプ３７から流出する燃焼ガスが排気ガスとして集められる。排気ヘッダ３８は、排気ダクト３３に接続されている。排気ヘッダ３８において集められた排気ガスは、排気ダクト３３へ流入する。
【００４６】
（２−４−３）排気ダクト３３
排気ダクト３３は、例えば金属製の管である。排気ダクト３３は、一端を排気ヘッダ３８に接続されている。排気ダクト３３は、地下室１０５の天井に沿って延び、他端を住宅１００の外壁に固定される（図示省略）。排気ダクト３３へ流入した排気ガスは、排気ダクト３３を通過して住宅１００外へ排出される。
【００４７】
（２−５）ＨＰユニット（ヒートポンプユニット）４０
図４は、ＨＰユニット４０の冷媒回路図である。ＨＰユニット４０は、主として、冷媒配管４１と、室内熱交換器４２と、室外機４３と、を有しており、これらが接続されることで、ＨＰユニット４０では冷媒回路が構成されている。
【００４８】
（２−５−１）冷媒配管４１
冷媒配管４１は、例えば銅製の配管であり、内部を冷媒が流れる。冷媒配管４１は、室内熱交換器４２と、室外機４３と、を接続している。
【００４９】
（２−５−２）室内熱交換器４２
室内熱交換器４２は、例えばクロスフィン型式やマイクロチャネル型式の熱交換器である。室内熱交換器４２は、内部を冷媒が流れる伝熱管（図示省略）を含んでいる。当該伝熱管の流入口及び流出口のそれぞれにおいて、冷媒配管４１が接続されている。室内熱交換器４２は、本体ケーシング１１内において、ファンユニット２０の上方であって、ＧＦユニット３０の熱交換部３１の下方に位置するように配設されている。換言すると、室内熱交換器４２は、ファンユニット２０よりも空気流ＡＦ１の下流側であって、ＧＦユニット３０の熱交換部３１よりも空気流ＡＦ１の上流側に位置している。このように配置される室内熱交換器４２は、ＨＰユニット４０が熱源機として稼動している状態において、空気流ＡＦ１が室内熱交換器４２を通過する際、空気流ＡＦ１と伝熱管を流れる冷媒とが熱交換するように構成されている。ＨＰユニット４０が熱源機として稼動する際、室内熱交換器４２は、冷媒の凝縮器又は放熱器として機能する。
【００５０】
（２−５−３）室外機４３
室外機４３は、屋外に設置される。室外機４３は、その内部に、主として、圧縮機４５、室外ファン４６、室外熱交換器４７、冷媒温度センサ４８、膨張弁４９、外気温センサ５０及び室外機制御部５１を有している。
【００５１】
圧縮機４５は、低圧のガス冷媒を吸入し、圧縮して高圧のガス冷媒としてから吐出する機構である。圧縮機４５は、例えば、ロータリ式やスクロール式等の容積式の圧縮機である。また、圧縮機４５は、例えば、駆動源である圧縮機モータＭ４５をケーシング（図示省略）内に収容された密閉式圧縮機である。圧縮機モータＭ４５は、例えば３相のブラシレスＤＣモータである。圧縮機モータＭ４５は、室外機制御部５１によって回転数を適宜調整される。これにより、ＨＰユニット４０は、運転容量を可変に制御される。
【００５２】
室外ファン４６は、例えばプロペラファン等の送風機である。室外ファン４６は、室外ファンモータＭ４６の回転軸と接続されている。室外ファンモータＭ４６は、後述する室外機制御部５１に含まれる室外ファン電力供給部（図示省略）とケーブル（図示省略）を介して接続されており、電力を供給される。電力の供給を受けて室外ファンモータＭ４６が駆動すると、室外ファン４６が回転して、室外機４３外部から内部に流入して室外熱交換器４７を通過する空気流が生成される。
【００５３】
室外熱交換器４７は、例えばクロスフィン型式やマイクロチャネル型式の熱交換器である。室外熱交換器４７は、内部を冷媒が流れる伝熱管（図示省略）を含んでいる。当該伝熱管の流入口及び流出口のそれぞれにおいて、冷媒配管４１が接続されている。室外熱交換器４７は、室外ファン４６によって生成される空気流が通過すると、当該空気流と伝熱管を流れる冷媒とが熱交換するように構成されている。ＨＰユニット４０が熱源機として稼動すると、室外熱交換器４７は、冷媒の蒸発器として機能する。
【００５４】
冷媒温度センサ４８（特許請求の範囲記載の「第２温度センサ」に相当）は、例えば熱電対やサーミスタ等のセンサである。冷媒温度センサ４８は、室外熱交換器４７内を流れる冷媒温度を検出する。冷媒温度センサ４８は、ケーブル（図示省略）を介して室外機制御部５１と接続されており、検出値のアナログ信号を出力している。
【００５５】
膨張弁４９は、例えば電動弁で構成されている。膨張弁４９は、室内熱交換器４２と室外熱交換器４７との間に位置している。膨張弁４９は、室内熱交換器４２において凝縮した高圧の液冷媒を減圧する。膨張弁４９は、ケーブル（図示省略）を介して室外機制御部５１と接続されており、室外機制御部５１によって開度を適宜調整される。
【００５６】
外気温センサ５０（特許請求の範囲記載の「第１温度センサ」に相当）は、例えば熱電対やサーミスタ等のセンサである。外気温センサ５０は、本実施形態においては、室外機４３内に設置されている。外気温センサ５０は、外気の温度を外気温Ｔｏとして検出する。外気温センサ５０は、ケーブル（図示省略）を介して室外機制御部５１と接続されており、検出値のアナログ信号を出力している。なお、外気温センサ５０は、必ずしも室外機４３内に配設される必要はなく、例えば住宅１００の外壁等に設置されてもよい。
【００５７】
室外機制御部５１は、ＣＰＵやメモリ等から構成されるマイクロコンピュータである。
室外機制御部５１は、圧縮機モータＭ４５の回転数を調整するためのインバータ（図示省略）を含んでいる。また、室外機制御部５１は室外ファンモータＭ４６に電力を供給するための室外ファン電力供給部を含んでいる。室外機制御部５１は、コントローラ６０（後述）と、ケーブル６０１を介して接続されており、信号の送受信を行っている。具体的に、室外機制御部５１は、コントローラ６０からの指示を受けて、インバータ及び室外ファン電力供給部を機能させる。これにより、圧縮機モータＭ４５が指定される回転数で駆動され、また、室外ファンモータＭ４６が駆動される。また、室外機制御部５１は、冷媒温度センサ４８から出力されるアナログ信号を受け、Ａ／Ｄ変換して冷媒温度情報を生成する。また、室外機制御部５１は、外気温センサ５０から出力されるアナログ信号を受け、Ａ／Ｄ変換して外気温情報を生成する。室外機制御部５１は、生成した冷媒温度情報及び外気温情報をコントローラ６０に適宜送信する。
【００５８】
（２−６）電装品ユニット５２
電装品ユニット５２は、各種の電装品を含むユニットである。電装品ユニット５２は、部屋１０２内の側壁に設置されている。電装品ユニット５２は、主として、室温センサ５３、入力部５４、表示部５５及びコントローラ６０を含んでいる。
【００５９】
（２−６−１）室温センサ５３
室温センサ５３（特許請求の範囲記載の「第３温度センサ」に相当）は、例えば熱電対やサーミスタ等のセンサを含んでいる。室温センサ５３は、部屋１０２内の温度を検出する。すなわち、室温センサ５３は、室内温度Ｔｉ（後述）を検出する。また、室温センサ５３は、通信機能及びＡ／Ｄ変換機能を有するインターフェース（図示省略）を含んでいる。室温センサ５３は、ケーブル６０１（図５参照）を介してコントローラ６０と接続されている。室温センサ５３は、検出値をＡ／Ｄ変換したディジタル信号をコントローラ６０に送信している。なお、室温センサ５３は、本実施形態においては部屋１０２内に配設されるが、必ずしも部屋１０２内に配設される必要はなく、住宅１００内の部屋１０２以外の部屋に設置されてもよい。
【００６０】
（２−６−２）入力部５４
入力部５４は、例えば入力キーやタッチパネル等で構成される（図示省略）。入力部５４は、ユーザによって指示を入力される。例えば、ユーザは、入力部５４を介して、運転開始、運転停止及び設定温度の選択等の指示を入力する。入力部５４は、ケーブル６０１（図５参照）を介してコントローラ６０と接続されている。入力部５４は、入力された指示に応じた指示信号をコントローラ６０に送信する。
【００６１】
（２−６−３）表示部５５
表示部５５は、例えばＬＥＤランプや液晶パネル等で構成される（図示省略）。表示部５５は、ケーブル６０１（図５参照）を介してコントローラ６０と接続されており、コントローラ６０から表示データ信号を受信する。表示部５５は、受信した表示データ信号に基づき、暖房システム１０の動作状況（運転中であるか否かや設定温度など）や室温の状況等を表示する。
【００６２】
（２−６−４）コントローラ６０
コントローラ６０は、ＲＡＭ、ＲＯＭ及びＣＰＵ等を含むマイクロコンピュータである。コントローラ６０は、ケーブル６０１を介して接続されている各部と、信号の送受信を行い又は動作を制御する。コントローラ６０は、第１運転モード、第２運転モード及び第３運転モードを含む複数の運転モードを有しており、運転モードに応じた制御を実行する。第１運転モードは、ＧＦユニット３０を熱源機として単独で稼動させる制御モードである。第２運転モードは、ＨＰユニット４０を熱源機として単独で稼動させる制御モードである。第３運転モードは、ＧＦユニット３０及びＨＰユニット４０を熱源機として同時に稼動させる制御モードである。コントローラ６０は、所定条件に応じて運転モードを切り換えて、ファンユニット２０、ＧＦユニット３０、ＨＰユニット４０等の機器の動作を制御している。以下の「（３）コントローラ６０の詳細」において、コントローラ６０の詳細について説明する。
【００６３】
（３）コントローラ６０の詳細
図５は、コントローラ６０の概略構成と、コントローラ６０に接続されている機器と、を示す模式図である。コントローラ６０は、主として、室外機制御部５１、室温センサ５３、入力部５４、表示部５５、第１電力供給部２１１、第２電力供給部３４２、ガスバルブ開閉部３５１及びプラグ用電力供給部３６２と、ケーブル６０１を介して接続されている。
【００６４】
コントローラ６０は、主として、記憶部６１と、切換制御部６２と、ファンユニット制御部６３と、ガスファーネスユニット制御部（以下、ＧＦユニット制御部と記載）６４と、ヒートポンプユニット制御部（以下、ＨＰユニット制御部と記載）６５と、表示制御部６６と、を含んでいる。以下、これらについて説明する。
【００６５】
（３−１）記憶部６１
記憶部６１は、切換制御部６２、ファンユニット制御部６３、ＧＦユニット制御部６４、ＨＰユニット制御部６５及び表示制御部６６において実行される制御プログラムを保持している。また、記憶部６１は、所定期間（例えば１分）毎に室温センサ５３から送信されるディジタル信号を室内温度（以下、室温と記載）Ｔｉとして保持する。また、記憶部６１は、所定期間（例えば１分）毎に室外機制御部５１から送られる外気温情報を受信し、外気温Ｔｏとして保持する。また、記憶部６１は、所定期間（例えば１分）毎に室外機制御部５１から送られる冷媒温度情報を受信し、蒸発温度Ｔｅとして保持する。また、記憶部６１は、入力部５４から送信される指示信号を解読して、運転開始指示、運転停止指示及び設定温度Ｔｐ等を抽出して保持する。
【００６６】
（３−２）切換制御部６２
図６は、切換制御部６２の構成を示す模式図である。切換制御部６２は、暖房システム１０の熱源機の選択若しくは切換えに関する制御を行う。なお、切換制御部６２による熱源機の選択若しくは切換えの詳細については、後述の「（４）切換制御部６２の処理の流れ」において説明する。切換制御部６２は、主として、取得部６２１と、演算部６２２と、判定部６２３と、モード選択部６２４と、運転容量設定部６２５と、駆動信号生成部６２６と、を有している。
【００６７】
（３−２−１）取得部６２１
電源が投入されると、取得部６２１は、まず記憶部６１から制御プログラムを取得する。次に、取得部６２１は、制御プログラムに沿って、記憶部６１からユーザの指示を取得する。具体的に、取得部６２１は、記憶部６１に運転開始指示又は運転停止指示が格納されると、これをリアルタイムに取得する。取得部６２１は、運転停止指示を取得した時には、これを駆動信号生成部６２６に出力する。
【００６８】
また、取得部６２１は、制御プログラムに沿って、所定のタイミングで記憶部６１から外気温Ｔｏ、室温Ｔｉ及び設定温度Ｔｐを取得する。具体的に、取得部６２１は、運転開始指示を取得した時と、切換禁止信号（後述）、ＧＦユニット駆動信号（後述）、ＨＰユニット駆動信号（後述）及び運転休止信号（後述）を受けた時に、外気温Ｔｏ、室温Ｔｉ及び設定温度Ｔｐを取得する。取得部６２１は、取得した外気温Ｔｏを判定部６２３へ出力する。また、取得部６２１は、取得した外気温Ｔｏ、室温Ｔｉ及び設定温度Ｔｐを演算部６２２に出力する。
【００６９】
（３−２−２）演算部６２２
演算部６２２は、取得部６２１から出力された室温Ｔｉ及び設定温度Ｔｐを受けると、制御プログラムに沿って、設定温度Ｔｐから室温Ｔｉを減じた値である第１差分値Ｄｖ１と、室温Ｔｉから設定温度Ｔｐを減じた値である第２差分値Ｄｖ２と、を算出する。演算部６２２は、算出した第１差分値Ｄｖ１及び第２差分値Ｄｖ２を判定部６２３に出力する。
【００７０】
また、演算部６２２は、判定部６２３から出力される切換許容信号（後述）を受けると、外気温Ｔｏ、室温Ｔｉ及び設定温度Ｔｐに基づいて熱負荷を算出する。そして、演算部６２２は、算出した熱負荷を運転容量設定部６２５に出力する。なお、制御プログラムにおいて、外気温Ｔｏ、室温Ｔｉ及び設定温度Ｔｐから熱負荷を算出するための計算式やテーブル等がプログラミングされており、演算部６２２は、当該制御プログラムに沿って熱負荷を算出する。
【００７１】
また、演算部６２２は、モード選択部６２４から第３運転モード選択信号を受けると、算出した熱負荷に基づいて、ＧＦユニット３０を駆動させた場合の第１コストＧｃと、ＨＰユニット４０を駆動させた場合の第２コストＨｃと、を算出する。具体的には、制御プログラムにおいて、熱負荷と、ＧＦユニット３０及びＨＰユニット４０の単位時間当たりの消費エネルギーと、単位時間当たりにおける商用電力及び商用ガスの使用料金と、の相関関係を定義したテーブルや計算式等がプログラミングされており、当該制御プログラムに沿って、第１コストＧｃ及び第２コストＨｃが算出される。演算部６２２は、算出した第１コストＧｃ及び第２コストＨｃを判定部６２３に出力する。
【００７２】
（３−２−３）判定部６２３
判定部６２３は、所定のタイミングにおいて、制御プログラムに沿って各種の判定を行う。以下、判定部６２３が行う判定について説明する。
【００７３】
（３−２−３−１）室温判定
判定部６２３は、演算部６２２から出力された第１差分値Ｄｖ１を受けると、第１差分値Ｄｖ１が所定の設定値Ｐｖ１以上であるか否かの判定である室温判定を行う。判定部６２３は、第１差分値Ｄｖ１が設定値Ｐｖ１未満である場合には、暖房運転が不要な程度に室温Ｔｉが高い状態であると判断して、その旨を示す室温高判定信号を駆動信号生成部６２６に出力する。一方、判定部６２３は、室温判定の結果、第１差分値Ｄｖ１が設定値Ｐｖ１以上である場合には、暖房運転が不要な程度に室温Ｔｉが高い状態ではないと判断して、次の切換許容判定（後述）を行う。なお、設定値Ｐｖ１は、予め制御プログラムにおいて設定されている。本実施形態において、設定値Ｐｖ１は、−５（℃）に設定されている。
【００７４】
（３−２−３−２）切換許容判定
判定部６２３は、時間を計測するタイマー機能を有している。判定部６２３は、所定の信号を受けると、時間の計測を開始する。具体的には、判定部６２３は、取得部６２１から出力される運転開始指示を受けると時間の計測を開始する。また、判定部６２３は、取得部６２１から出力される運転停止指示を受けた時には、それまでにカウントした計測時間Ｃｔをリセットした上で時間の計測を終了する。
【００７５】
判定部６２３は、室温判定において第１差分値Ｄｖ１が設定値Ｐｖ１以上であった時には、計測時間Ｃｔが設定時間Ｓｔ以上であるか否かを判定する切換許容判定を行う。そして、切換許容判定の結果、計測時間Ｃｔが設定時間Ｓｔ未満であれば、判定部６２３は、切換禁止信号を取得部６２１に出力する。一方、計測時間Ｃｔが設定時間Ｓｔ以上であれば、判定部６２３は、切換許容信号を演算部６２２に出力するとともに、次の外気温判定（後述）を行う。なお、設定時間Ｓｔは、制御プログラムにおいて適当な値が設定されるが、本実施形態において設定時間Ｓｔは３０分に設定される。
【００７６】
（３−２−３−３）外気温判定
判定部６２３は、切換許容判定の結果、計測時間Ｃｔが設定時間Ｓｔ以上であれば、取得部６２１から出力された外気温Ｔｏが所定の第１基準値Ｓｖ１以上であるか否かと、外気温Ｔｏが第２基準値Ｓｖ２未満であるか否かと、を判定する外気温判定を行う。
【００７７】
なお、第１基準値Ｓｖ１は、外気温Ｔｏが第１基準値Ｓｖ１未満であればＨＰユニット４０を熱源機として稼動させるよりもＧＦユニット３０を熱源機として稼動させたほうがＣＯＰに優れる、という条件を満たす値として、予め制御プログラムにおいて設定されている。本実施形態において、第１基準値Ｓｖ１は、−１１（℃）に設定されている。
【００７８】
また、第２基準値Ｓｖ２は、外気温Ｔｏが第２基準値Ｓｖ２以上であればＧＦユニット３０を熱源機として稼動させるよりもＨＰユニット４０を熱源機として稼動させたほうがＣＯＰに優れる、という条件を満たす値として、予め制御プログラムにおいて設定されている。本実施形態において、第２基準値Ｓｖ２は、第１基準値ＳＶ１よりも高い−２（℃）に設定されている。
【００７９】
判定部６２３は、外気温判定の結果、外気温Ｔｏが第１基準値Ｓｖ１未満である場合には、その旨を示す外気温低判定信号をモード選択部６２４に出力する。また、外気温Ｔｏが第２基準値Ｓｖ２以上である場合には、判定部６２３は、その旨を示す外気温高判定信号をモード選択部６２４に出力する。また、外気温Ｔｏが第１基準値Ｓｖ１以上第２基準値Ｓｖ２未満である場合には、判定部６２３は、その旨を示す外気温中判定信号をモード選択部６２４に出力する。
【００８０】
（３−２−３−４）差分値判定
判定部６２３は、モード選択部６２４から第３運転モード選択信号（後述）を受けると、演算部６２２から出力された第１差分値Ｄｖ１又は第２差分値Ｄｖ２が所定の閾値以上であるか否かの判定である差分値判定を行う。
【００８１】
具体的には、判定部６２３は、第１差分値Ｄｖ１が第１閾値ΔＴｈ１以上である場合には、室温Ｔｉが設定温度Ｔｐを大きく下回っていると判断して、その旨を示す第１差分値大判定信号を運転容量設定部６２５に出力する。
【００８２】
一方、第１差分値Ｄｖ１が第１閾値ΔＴｈ１未満である場合には、その旨を示す第１差分値小判定信号を運転容量設定部６２５に出力するとともに、第２差分値Ｄｖ２が第２閾値ΔＴｈ２以上か否か、を判定する。そして、第２差分値Ｄｖ２が第２閾値ΔＴｈ２以上と判断した時には、その旨を示す第２差分値大判定信号を運転容量設定部６２５に出力する。また、第２差分値Ｄｖ２が第２閾値ΔＴｈ２未満と判断した時には、その旨を示す第２差分値小判定信号を運転容量設定部６２５に出力する。
【００８３】
なお、第１閾値ΔＴｈ１及び第２閾値ΔＴｈ２は、予め制御プログラムにおいて設定されている。本実施形態において、第１閾値ΔＴｈ１は１０（℃）に設定され、第２閾値ΔＴｈ２は１（℃）に設定されている。
【００８４】
（３−２−３−５）コスト判定
また、判定部６２３は、演算部６２２から出力される第１コストＧｃ及び第２コストＨｃを受けると、第１コストＧｃ及び第２コストＨｃを比較するコスト判定を行う。判定部６２３は、コスト判定の結果、第１コストＧｃが第２コストＨｃよりも大きい場合には、その旨を示す第１コスト大判定信号を運転容量設定部６２５に出力する。一方、判定部６２３は、コスト判定の結果、第１コストＧｃが第２コストＨｃよりも大きくない場合には、その旨を示す第１コスト小判定信号をモード選択部６２４に出力する。
【００８５】
（３−２−４）モード選択部６２４
モード選択部６２４は、判定部６２３から出力される外気温低判定信号、外気温中判定信号又は外気温高判定信号に応じて、運転モードの選択を行う。なお、制御プログラムにおいて、外気温低判定信号、外気温中判定信号及び外気温高判定信号と、選択する運転モードと、の相関関係が定義されており、モード選択部６２４は、当該制御プログラムに沿って運転モードの選択を行う。
【００８６】
具体的には、外気温低判定信号を受けると、モード選択部６２４は、第１運転モードを選択し、その旨を示す第１運転モード選択信号を運転容量設定部６２５及び駆動信号生成部６２６に出力する。また、外気温高判定信号を受けると、モード選択部６２４は、第２運転モードを選択し、その旨を示す第２運転モード選択信号を運転容量設定部６２５及び駆動信号生成部６２６に出力する。また、外気温中判定信号を受けると、モード選択部６２４は、第３運転モードを選択し、その旨を示す第３運転モード選択信号を判定部６２３に出力する。
【００８７】
（３−２−５）運転容量設定部６２５
運転容量設定部６２５は、所定の信号を受けると、演算部６２２から出力される熱負荷に基づいて、稼動させる熱源機の運転容量を設定する。具体的には、第１運転モード選択信号を受けた場合、運転容量設定部６２５は、熱負荷に応じてＧＦユニット３０の運転容量を設定する。また、第２運転モード選択信号を受けた場合、運転容量設定部６２５は、熱負荷に応じてＨＰユニット４０の運転容量を設定する。なお、制御プログラムにおいて、熱負荷と、熱源機の運転容量と、の相関関係が定義されており、モード選択部６２４は、第１運転モード選択信号又は第２運転モード選択信号を受けた場合、当該制御プログラムに沿って運転容量を設定する。
【００８８】
また、運転容量設定部６２５は、判定部６２３から出力された第１差分値大判定信号、第１差分値小判定信号、第２差分値大判定信号又は第２差分値小判定信号を受けた場合には、第３運転モードで運転している場合における熱源機の運転容量を設定する。
【００８９】
より詳細には、運転容量設定部６２５は、第１差分値大判定信号又は第１差分値小判定信号を受けた時には、ＧＦユニット３０によって処理する熱負荷である第１負荷Ｇｌを算出する。そして、運転容量設定部６２５は、算出した第１負荷Ｇｌに基づいてＧＦユニット３０の運転容量を設定する。また、第２差分値大判定信号若しくは第２差分値小判定信号を受けた時には、運転容量設定部６２５は、ＨＰユニット４０によって処理する熱負荷である第２負荷Ｈｌを算出する。そして、運転容量設定部６２５は、算出した第２負荷Ｈｌに基づいてＨＰユニット４０の運転容量を設定する。
【００９０】
なお、制御プログラムにおいて、演算部６２２から出力される熱負荷に基づいて第１負荷Ｇｌ及び第２負荷Ｈｌを算出するためのロジックがプログラミングされている。また、第１負荷ＧｌとＧＦユニット３０の運転容量との相関関係と、第２負荷ＨｌとＨＰユニット４０の運転容量との相関関係についても、制御プログラムにおいて定義されている。
【００９１】
本実施形態においては、第３運転モード時に演算部６２２から出力される熱負荷が大きい場合には、運転容量設定部６２５において、ＨＰユニット４０に処理させる第２負荷ＨｌよりもＧＦユニット３０に処理させる第１負荷Ｇｌが大きく算出されるようになっている。これにより、ＨＰユニット４０の運転容量よりもＧＦユニット３０の運転容量のほうが大きいレベルに設定され、熱負荷処理に要する時間が短縮されるように構成されている。
【００９２】
また、第３運転モード時に演算部６２２から出力される熱負荷が大きくない場合には、運転容量設定部６２５において、ＧＦユニット３０に処理させる第１負荷ＧｌよりもＨＰユニット４０に処理させる第２負荷Ｈｌが大きく算出されるようになっている。これにより、ＧＦユニット３０の運転容量よりもＨＰユニット４０の運転容量のほうが大きいレベルに設定され、室温Ｔｉが設定温度Ｔｐを超えてさらに大きく上昇することが抑制されるように構成されている。
【００９３】
また、第１差分値小判定信号を受けた時よりも第１差分値大判定信号を受けた時のほうが、第１負荷Ｇｌは大きく算出され、ＧＦユニット３０の運転容量のレベルは大きく設定されるようになっている。換言すると、第１差分値Ｄｖ１が第１閾値ΔＴｈ１未満である時には、第１差分値Ｄｖ１が第１閾値ΔＴｈ１以上である時と比較して、ＧＦユニット３０の運転容量のレベルが低く設定される。
【００９４】
また、第２差分値大判定信号を受けた時よりも第１差分値大判定信号若しくは第２差分値小判定信号を受けた時のほうが、第２負荷Ｈｌは大きく算出され、ＨＰユニット４０の運転容量のレベルは大きく設定されるようになっている。換言すると、第２差分値Ｄｖ２が第２閾値ΔＴｈ２以上である時には、第２差分値Ｄｖ２が第２閾値ΔＴｈ２未満である時と比較して、ＧＦユニット３０の運転容量のレベルが低く設定される。
【００９５】
運転容量設定部６２５は、ＧＦユニット３０の運転容量の設定を完了した場合、設定した運転容量のレベルを示すＧＦ容量設定信号を駆動信号生成部６２６に出力する。また、運転容量設定部６２５は、ＨＰユニット４０の運転容量の設定を完了した場合、設定した運転容量のレベルを示すＨＰ容量設定信号を駆動信号生成部６２６に出力する。
【００９６】
（３−２−６）駆動信号生成部６２６
駆動信号生成部６２６は、制御プログラムに沿って各種の信号を生成して各部に出力する。
【００９７】
具体的に、駆動信号生成部６２６は、取得部６２１から出力された運転停止指示を受けると、暖房運転を停止すべく、運転停止信号をファンユニット制御部６３、ＧＦユニット制御部６４、ＨＰユニット制御部６５及び表示制御部６６に出力する。
【００９８】
また、駆動信号生成部６２６は、モード選択部６２４から出力された第１運転モード選択信号を受けると、ＨＰユニット４０の稼動を停止させるべく、ヒートポンプユニット停止信号（以下、ＨＰユニット停止信号と記載）をＨＰユニット制御部６５に出力する。
【００９９】
また、駆動信号生成部６２６は、モード選択部６２４から出力された第２運転モード選択信号を受けると、ＧＦユニット３０の稼動を停止させるべく、ガスファーネスユニット停止信号（以下、ＧＦユニット停止信号と記載）をＧＦユニット制御部６４に出力する。
【０１００】
また、駆動信号生成部６２６は、判定部６２３から出力された室温高判定信号を受けると、暖房運転を休止すべく、運転休止信号を取得部６２１、ファンユニット制御部６３、ＧＦユニット制御部６４、ＨＰユニット制御部６５及び表示制御部６６に出力する。
【０１０１】
また、駆動信号生成部６２６は、運転容量設定部６２５から出力されたＧＦ容量設定信号を受けると、当該ＧＦ容量設定信号とともにガスファーネスユニット駆動信号（以下、ＧＦユニット駆動信号と記載）をＧＦユニット制御部６４に出力し、ＧＦユニット駆動信号を取得部６２１へ出力する。
【０１０２】
また、駆動信号生成部６２６は、運転容量設定部６２５から出力されたＨＰ容量設定信号を受けると、当該ＨＰ容量設定信号とともにヒートポンプユニット駆動信号（以下、ＨＰユニット駆動信号と記載）をＨＰユニット制御部６５に出力し、ＨＰユニット駆動信号を取得部６２１へ出力する。
【０１０３】
（３−３）ファンユニット制御部６３
電源が投入されると、ファンユニット制御部６３は、まず記憶部６１から制御プログラムを取得する。次に、ファンユニット制御部６３は、制御プログラムに沿って、記憶部６１からユーザの指示を取得する。具体的に、ファンユニット制御部６３は、記憶部６１に運転開始指示又は運転停止指示が格納されると、これをリアルタイムに取得する。
【０１０４】
ファンユニット制御部６３は、運転開始指示を取得した時には、第１電力供給部２１１へ信号を送り、第１ファンモータＭ２１への電力供給を開始させる。これにより、第１ファンモータＭ２１が駆動を開始し、ファンユニット２０は稼動状態となる。また、ファンユニット制御部６３は、運転停止指示を取得した時には、第１電力供給部２１１へ信号を送り、第１ファンモータＭ２１への電力供給を停止させる。これにより、第１ファンモータＭ２１が駆動を停止し、ファンユニット２０は稼動を停止する状態となる。
【０１０５】
また、ファンユニット制御部６３は、駆動信号生成部６２６から出力される運転休止信号を受けた時には、第１電力供給部２１１へ信号を送り、第１ファンモータＭ２１への電力供給を休止させる。これにより、第１ファンモータＭ２１が駆動を休止し、ファンユニット２０は稼動を休止する休止状態となる。なお、ファンユニット２０が既に休止状態となっている場合において、運転休止信号を受けた時には、ファンユニット制御部６３は何もしない。
【０１０６】
（３−４）ＧＦユニット制御部６４
電源が投入されると、ＧＦユニット制御部６４は、記憶部６１から制御プログラムを取得する。ＧＦユニット制御部６４は、制御プログラムに沿った信号を生成して各部に送信する。
【０１０７】
具体的には、ＧＦユニット制御部６４は、駆動信号生成部６２６から出力されるＧＦユニット駆動信号を受けると、ＧＦユニット３０を熱源機として稼動させるＧＦユニット駆動制御を行う。すなわち、ＧＦユニット制御部６４は、ＧＦユニット駆動制御において、まず第２電力供給部３４２へ信号を送り、第２ファンモータへの電力供給を開始させる。また、これとともに、ＧＦユニット制御部６４は、ガスバルブ開閉部３５１へ信号を送りガスバルブ３５を開けさせる。その後、ＧＦユニット制御部６４は、プラグ用電力供給部３６２に信号を送り、所定時間、プラグ３６１の放電を生じさせる。これにより、第２ファンモータの駆動が開始されてファン３４は動作状態となるとともに、燃焼部３６内において燃焼ガスが生成され、ＧＦユニット３０は駆動状態となる。なお、既にＧＦユニット３０が熱源機として稼動している状態においてＧＦユニット駆動信号を受けた時には、ＧＦユニット制御部６４は何もしない。
【０１０８】
また、ＧＦユニット制御部６４は、駆動信号生成部６２６から出力されるＧＦ容量設定信号を受けると、ＧＦユニット３０を間欠運転させるＧＦユニット間欠駆動制御を行う。すなわち、ＧＦユニット制御部６４は、ＧＦユニット間欠駆動制御において、所定のタイミングでガスバルブ開閉部３５１へ信号を送り、ガスバルブ３５を閉じさせる。その後、所定のタイミングでガスバルブ開閉部３５１へ信号を送りガスバルブ３５を開けさせてから、プラグ用電力供給部３６２に信号を送りプラグ３６１の放電を生じさせる。これにより、ＧＦユニット３０は、所定のタイミングで発停を繰り返す間欠駆動状態となり、燃焼部３６がＧＦ容量設定信号で指定される運転容量で駆動する。
【０１０９】
なお、制御プログラムにおいて、ＧＦ容量設定信号において指定される運転容量のレベルと、間欠駆動制御においてガスバルブ３５の開閉が行われるタイミングと、の相関関係について定義されたテーブルがプログラミングされている。ＧＦユニット制御部６４は、当該テーブルに基づいて、ＧＦユニット間欠駆動制御を行う。また、ＧＦユニット３０が間欠駆動状態となっている場合においてＧＦ容量設定信号を受けると、ＧＦユニット制御部６４は、改めて上記テーブルを参照して間欠駆動制御を更新する。
【０１１０】
また、ＧＦユニット制御部６４は、駆動信号生成部６２６から出力されるＧＦユニット停止信号を受けると、ＧＦユニット３０の熱源機としての稼動を停止させるＧＦユニット停止制御を行う。すなわち、ＧＦユニット制御部６４は、ＧＦユニット停止制御において、まずガスバルブ開閉部３５１へ信号を送り、ガスバルブ３５を閉じさせる。その後、第２電力供給部３４２へ信号を送り、第２ファンモータへの電力供給を停止させる。これにより、第２ファンモータの駆動が停止されてファン３４は停止状態となるとともに、燃焼部３６内において燃焼ガスの生成が停止され、ＧＦユニット３０は熱源機としての稼動を停止する状態となる。なお、ＧＦユニット３０が熱源機としての稼動を停止している状態においてＧＦユニット停止信号を受けた時には、ＧＦユニット制御部６４は何もしない。
【０１１１】
（３−５）ＨＰユニット制御部６５
電源が投入されると、ＨＰユニット制御部６５は、記憶部６１から制御プログラムを取得する。ＨＰユニット制御部６５は、制御プログラムに沿った信号を生成して各部に送信する。
【０１１２】
具体的には、ＨＰユニット制御部６５は、駆動信号生成部６２６から出力されるＨＰ容量設定信号及びＨＰユニット駆動信号を受けた時には、ＨＰユニット４０を熱源機として稼動させるＨＰユニット駆動制御及びＨＰユニット容量制御を行う。
【０１１３】
すなわち、ＨＰユニット制御部６５は、ＨＰユニット駆動制御において、室外機制御部５１へ信号を送り、室外ファンモータＭ４６が駆動を開始するよう室外ファン電力供給部に電力供給を開始させる。また、これとともに、ＨＰユニット制御部６５は、室外機制御部５１へ信号を送り、膨張弁４９を適切な開度で開けさせる。
【０１１４】
また、ＨＰユニット制御部６５は、ＨＰユニット容量制御において、ＨＰ容量設定信号に含まれるＨＰユニットの運転容量のレベルに基づいて、圧縮機モータＭ４５の回転数を決定する。そして、ＨＰユニット制御部６５は、室外機制御部５１へ信号を送り、決定した回転数で圧縮機モータＭ４５が駆動するようインバータに電力供給を行わせる。なお、制御プログラムにおいて、ＨＰ容量設定信号において指定される運転容量のレベルと、圧縮機モータＭ４５の回転数と、の相関関係について定義されたテーブルがプログラミングされている。ＨＰユニット制御部６５は、当該テーブルに基づいて、ＨＰユニット容量制御を行う。
【０１１５】
上記ＨＰユニット駆動制御及びＨＰユニット容量制御により、ＨＰユニット４０において蒸気圧縮冷凍サイクルが機能し、ＨＰユニット４０は、指定された運転容量で熱源機として稼動する状態となる。なお、既にＨＰユニット４０が熱源機として稼動している状態においてＨＰユニット駆動信号を受けた時には、ＨＰユニット制御部６５は何もしない。また、ＨＰユニット４０が駆動状態となっている場合においてＨＰ容量設定信号を受けると、ＨＰユニット制御部６５は、改めて上記テーブルを参照して圧縮機モータＭ４５の回転数を更新し、室外機制御部５１へ信号を送って、更新した回転数で圧縮機モータＭ４５が駆動するようインバータに電力供給を行わせる。
【０１１６】
また、ＨＰユニット制御部６５は、駆動信号生成部６２６から出力されるＨＰユニット停止信号を受けた時には、ＨＰユニット４０の熱源機としての稼動を停止させるＨＰユニット停止制御を行う。すなわち、ＨＰユニット制御部６５は、ＨＰユニット停止制御において、室外機制御部５１へ信号を送り、圧縮機モータＭ４５及び室外ファンモータＭ４６への電力供給を停止させる。また、これとともに、ＨＰユニット制御部６５は、室外機制御部５１へ信号を送り、膨張弁４９を閉じさせる。これにより、ＨＰユニット４０は、熱源機としての稼動を停止する状態となる。なお、ＨＰユニット４０が熱源機としての稼動を停止している状態においてＨＰユニット停止信号を受けた時には、ＨＰユニット制御部６５は何もしない。
【０１１７】
（３−６）表示制御部６６
電源が投入されると、表示制御部６６は、まず記憶部６１から制御プログラムを取得する。次に、表示制御部６６は、制御プログラムに沿って、記憶部６１からユーザの指示、室温Ｔｉ及び設定温度Ｔｐ等を取得する。具体的に、表示制御部６６は、記憶部６１に運転開始指示若しくは運転停止指示、室温Ｔｉ及び設定温度Ｔｐが格納されると、これをリアルタイムに取得する。
【０１１８】
表示制御部６６は、運転開始指示を取得した時には、運転状態であること、現在の室温Ｔｉ及び設定温度Ｔｐ等を示す表示データを表示部５５に送信する。これにより、表示部５５には、暖房システム１０が運転状態にあること、現在の室温Ｔｉ及び設定温度Ｔｐ等をユーザに示す表示がなされる。また、表示制御部６６は、運転停止指示を取得した時には、表示を停止する信号を表示部５５に送信する。これにより、表示部５５では、表示が行われなくなる。
【０１１９】
また、表示制御部６６は、駆動信号生成部６２６から出力される運転休止信号を受けた時には、暖房システム１０が待機状態であることを示す表示データを表示部５５に送信する。これにより、表示部５５では、暖房システム１０が待機状態であることをユーザに示す表示がなされる。なお、暖房システム１０が待機状態にあることを示す表示がなされている状態において、運転休止信号を受けた時には、表示制御部６６は何もしない。
【０１２０】
（４）切換制御部６２の処理の流れ
以下、図７を参照して、切換制御部６２の処理の流れの一例について説明する。図７は、切換制御部６２の処理の流れを示すフローチャートである。なお、以下は処理の一例であって、切換制御部６２は、これと異なる流れの処理を実行してもよい。本実施形態において、暖房システム１０の電源が投入されて運転開始指示が入力されると、切換制御部６２は、図７に示すような流れの処理を行う。
【０１２１】
ステップＳ１０１においては、取得部６２１が、記憶部６１から外気温Ｔｏ、室温Ｔｉ及び設定温度Ｔｐを取得する。そして、取得部６２１は、取得した外気温Ｔｏを判定部６２３へ出力する。また、取得部６２１は、取得した外気温Ｔｏ、室温Ｔｉ及び設定温度Ｔｐを演算部６２２に出力する。そして、ステップＳ１０２へ進む。
【０１２２】
ステップＳ１０２においては、演算部６２２が、取得部６２１から出力された室温Ｔｉ及び設定温度Ｔｐを受けて、設定温度Ｔｐから室温Ｔｉを減じた値である第１差分値Ｄｖ１を算出し、判定部６２３へ出力する。その後、ステップＳ１０３へ進む。
【０１２３】
ステップＳ１０３においては、判定部６２３が、演算部６２２から出力された第１差分値Ｄｖ１を受けて、室温判定を行う。室温判定の結果、判定がＮＯの場合（すなわち、第１差分値Ｄｖ１が設定値Ｐｖ１未満の場合）には、室温高判定信号を駆動信号生成部６２６に出力する。そして、ステップＳ１０４へ進む。一方、判定がＹＥＳの場合（すなわち、第１差分値Ｄｖ１が設定値Ｐｖ１以上の場合）には、ステップＳ１０５へ進む。
【０１２４】
ステップＳ１０４においては、駆動信号生成部６２６が、判定部６２３から出力された室温高判定信号を受けて、運転休止信号を各部に出力する。その後、ステップＳ１０１へ戻る。
【０１２５】
ステップＳ１０５においては、判定部６２３が、切換許容判定を行う。そして、切換許容判定の結果、判定がＮＯの場合（すなわち、計測時間Ｃｔが設定時間Ｓｔ未満である場合）には、判定部６２３は、切換禁止信号を取得部６２１に出力する。そして、ステップＳ１０１に戻る。一方、判定がＹＥＳの場合（すなわち、計測時間Ｃｔが設定時間Ｓｔ以上である場合）判定部６２３は、切換許容信号を演算部６２２に出力する。そして、ステップＳ１０６へ進む。
【０１２６】
ステップＳ１０６においては、演算部６２２は、判定部６２３から出力された切換許容信号を受けて、外気温Ｔｏ、室温Ｔｉ及び設定温度Ｔｐに基づいて熱負荷を算出する。そして、演算部６２２は、算出した熱負荷を運転容量設定部６２５に出力し、ステップＳ１０７へ進む。
【０１２７】
ステップＳ１０７においては、判定部６２３が、外気温Ｔｏが第１基準値Ｓｖ１以上であるか否かを判定する外気温判定を行う。当該外気温判定の結果、判定がＮＯの場合（すなわち、外気温Ｔｏが第１基準値Ｓｖ１未満である場合）には、判定部６２３は、外気温低判定信号をモード選択部６２４に出力する。そして、ステップＳ１０８へ進む。一方、判定がＹＥＳの場合（すなわち、外気温Ｔｏが第１基準値Ｓｖ１以上である場合）には、ステップＳ１１１へ進む。
【０１２８】
ステップＳ１０８においては、モード選択部６２４が、判定部６２３から出力された外気温低判定信号を受けて、第１運転モードを選択し、その旨を示す第１運転モード選択信号を運転容量設定部６２５及び駆動信号生成部６２６に出力する。そして、駆動信号生成部６２６が、モード選択部６２４から出力された第１運転モード選択信号を受けて、ＨＰユニット停止信号をＨＰユニット制御部６５に出力する。そして、ステップＳ１０９へ進む。
【０１２９】
ステップＳ１０９においては、運転容量設定部６２５が、モード選択部６２４から出力された第１運転モード選択信号を受けて、演算部６２２から出力される熱負荷に基づきＧＦユニット３０の運転容量を設定する。そして、設定した運転容量のレベルを示すＧＦ容量設定信号を駆動信号生成部６２６に出力する。そして、ステップＳ１１０へ進む。
【０１３０】
ステップＳ１１０においては、駆動信号生成部６２６が、運転容量設定部６２５から出力されたＧＦ容量設定信号を受けて、当該ＧＦ容量設定信号とともにＧＦユニット駆動信号をＧＦユニット制御部６４に出力する。また、駆動信号生成部６２６は、ＧＦユニット駆動信号を取得部６２１へ出力する。そして、ステップＳ１０１に戻る。
【０１３１】
ステップＳ１１１においては、判定部６２３が、外気温Ｔｏが第２基準値Ｓｖ２未満であるか否かを判定する外気温判定を行う。当該外気温判定の結果、判定がＮＯの場合（すなわち、外気温Ｔｏが第２基準値Ｓｖ２以上である場合）には、判定部６２３は、外気温高判定信号をモード選択部６２４に出力する。そして、ステップＳ１１２へ進む。一方、判定がＹＥＳの場合（すなわち、外気温Ｔｏが第２基準値Ｓｖ２未満である場合）には、判定部６２３は、外気温中判定信号をモード選択部６２４に出力する。ステップＳ１１５へ進む。
【０１３２】
ステップＳ１１２においては、モード選択部６２４が、判定部６２３から出力された外気温高判定信号を受けて、第２運転モードを選択し、その旨を示す第２運転モード選択信号を運転容量設定部６２５及び駆動信号生成部６２６に出力する。そして、駆動信号生成部６２６が、モード選択部６２４から出力された第２運転モード選択信号を受けて、ＧＦユニット停止信号をＧＦユニット制御部６４に出力する。そして、ステップＳ１１３へ進む。
【０１３３】
ステップＳ１１３においては、運転容量設定部６２５が、モード選択部６２４から出力された第２運転モード選択信号を受けて、演算部６２２から出力される熱負荷に基づきＨＰユニット４０の運転容量を設定する。そして、設定した運転容量のレベルを示すＨＰ容量設定信号を駆動信号生成部６２６に出力する。そして、ステップＳ１１４へ進む。
【０１３４】
ステップＳ１１４においては、駆動信号生成部６２６が、運転容量設定部６２５から出力されたＨＰ容量設定信号を受けて、当該ＨＰ容量設定信号とともにＨＰユニット駆動信号をＨＰユニット制御部６５に出力する。また、駆動信号生成部６２６は、ＨＰユニット駆動信号を取得部６２１へ出力する。そして、ステップＳ１０１に戻る。
【０１３５】
ステップＳ１１５においては、モード選択部６２４が、判定部６２３から出力された外気温中判定信号を受けて、第３運転モードを選択し、第３運転モード選択信号を判定部６２３に出力する。そして、ステップＳ１１６へ進む。
【０１３６】
ステップＳ１１６においては、判定部６２３が、第３運転モード選択信号を受けて、演算部６２２から出力された第１差分値Ｄｖ１が第１閾値ΔＴｈ１以上であるか否か、を判定する差分値判定を行う。差分値判定の結果、判定がＮＯの場合（すなわち、第１差分値Ｄｖ１が第１閾値ΔＴｈ１未満である場合）には、判定部６２３は、第１差分値小判定信号を運転容量設定部６２５に出力する。そして、ステップＳ１１７へ進む。一方、判定がＹＥＳの場合（すなわち、第１差分値Ｄｖ１が第１閾値ΔＴｈ１以上である場合）には、判定部６２３は、第１差分値大判定信号を運転容量設定部６２５に出力する。そして、ステップＳ１２４へ進む。
【０１３７】
ステップＳ１１７においては、運転容量設定部６２５が、判定部６２３から出力された第１差分値小判定信号を受けて、第１負荷Ｇｌを算出する。そして、ステップＳ１１８へ進む。
【０１３８】
ステップＳ１１８においては、運転容量設定部６２５が、算出した第１負荷Ｇｌに基づいてＧＦユニット３０の運転容量を設定する。また、運転容量設定部６２５は、設定した運転容量のレベルを示すＧＦ容量設定信号を駆動信号生成部６２６に出力する。そして、ステップＳ１１９へ進む。
【０１３９】
ステップＳ１１９においては、駆動信号生成部６２６が、運転容量設定部６２５から出力されたＧＦ容量設定信号を受けて、当該ＧＦ容量設定信号とともにＧＦユニット駆動信号をＧＦユニット制御部６４に出力する。そして、ステップＳ１２０へ進む。
【０１４０】
ステップＳ１２０においては、判定部６２３が、演算部６２２から出力された第２差分値Ｄｖ２が第２閾値ΔＴｈ２以上であるか否か、を判定する差分値判定を行う。差分値判定の結果、判定がＮＯの場合（すなわち、第２差分値Ｄｖ２が第２閾値ΔＴｈ２未満である場合）には、判定部６２３は、第２差分値小判定信号を運転容量設定部６２５に出力する。そして、ステップＳ１２７へ進む。一方、判定がＹＥＳの場合（すなわち、第２差分値Ｄｖ２が第２閾値ΔＴｈ２以上である場合）には、判定部６２３は、第２差分値大判定信号を運転容量設定部６２５に出力する。そして、ステップＳ１２１へ進む。
【０１４１】
ステップＳ１２１においては、運転容量設定部６２５が、判定部６２３から出力された第２差分値大判定信号を受けて、第２負荷Ｈｌを算出する。そして、ステップＳ１２２へ進む。
【０１４２】
ステップＳ１２２においては、運転容量設定部６２５が、算出した第２負荷Ｈｌに基づいてＨＰユニット４０の運転容量を設定する。また、運転容量設定部６２５は、設定した運転容量のレベルを示すＨＰ容量設定信号を駆動信号生成部６２６に出力する。そして、ステップＳ１２３へ進む。
【０１４３】
ステップＳ１２３においては、駆動信号生成部６２６が、運転容量設定部６２５から出力されたＨＰ容量設定信号を受けて、当該ＨＰ容量設定信号とともにＨＰユニット駆動信号をＨＰユニット制御部６５に出力する。また、駆動信号生成部６２６は、ＨＰユニット駆動信号を取得部６２１へ出力する。そして、ステップＳ１０１へ戻る。
【０１４４】
ステップＳ１２４においては、運転容量設定部６２５が、判定部６２３から出力された第１差分値大判定信号を受けて、第１負荷Ｇｌを算出する。そして、ステップＳ１２５へ進む。
【０１４５】
ステップＳ１２５においては、運転容量設定部６２５が、算出した第１負荷Ｇｌに基づいてＧＦユニット３０の運転容量を設定する。また、運転容量設定部６２５は、設定した運転容量のレベルを示すＧＦ容量設定信号を駆動信号生成部６２６に出力する。そして、ステップＳ１２６へ進む。
【０１４６】
ステップＳ１２６においては、駆動信号生成部６２６が、運転容量設定部６２５から出力されたＧＦ容量設定信号を受けて、当該ＧＦ容量設定信号とともにＧＦユニット駆動信号をＧＦユニット制御部６４に出力する。そして、ステップＳ１２７へ進む。
【０１４７】
ステップＳ１２７においては、運転容量設定部６２５が、判定部６２３から出力された第１差分値大判定信号又は第２差分値小判定信号を受けて、第２負荷Ｈｌを算出する。そして、ステップＳ１２８へ進む。
【０１４８】
ステップＳ１２８においては、運転容量設定部６２５が、算出した第２負荷Ｈｌに基づいてＨＰユニット４０の運転容量を設定する。また、運転容量設定部６２５は、設定した運転容量のレベルを示すＨＰ容量設定信号を駆動信号生成部６２６に出力する。そして、ステップＳ１２９へ進む。
【０１４９】
ステップＳ１２９においては、駆動信号生成部６２６が、運転容量設定部６２５から出力されたＨＰ容量設定信号を受けて、当該ＨＰ容量設定信号とともにＨＰユニット駆動信号をＨＰユニット制御部６５に出力する。また、駆動信号生成部６２６は、ＨＰユニット駆動信号を取得部６２１へ出力する。そして、ステップＳ１０１へ戻る。
【０１５０】
（５）各部の動作状態について
以下、図８を参照して、暖房システム１０の各部の動作状態について説明する。図８は、運転開始指示が入力された場合における各部の状態の変化の一例を示すタイミングチャートである。
【０１５１】
期間Ａにおいては、暖房システム１０は停止状態にある。すなわち、ファンユニット２０、ＧＦユニット３０及びＨＰユニット４０は、稼動を停止している。
【０１５２】
期間Ｂにおいては、運転開始指示が入力されたことに応じて、ファンユニット２０が稼動する。また、外気温Ｔｏが第１基準値Ｓｖ１未満であることに応じて、第１運転モードが選択される。すなわち、コントローラ６０は、外気温Ｔｏが第１基準値Ｓｖ１未満であれば第１運転モードを選択する。これにより、ＧＦユニット３０が熱負荷に応じた運転容量で稼動する。なお、これより切換許容信号が判定部６２３によって出力されるまで（すなわち、３０分が経過するまで）は、熱源機の切換えが禁止される熱源機切換禁止期間とされる。ＨＰユニット４０は、停止したままである。
【０１５３】
期間Ｃにおいては、外気温Ｔｏが第１基準値Ｓｖ１以上第２基準値Ｓｖ２未満となったことに応じて、第３運転モードが選択される。すなわち、コントローラ６０は、外気温Ｔｏが第１基準値Ｓｖ１以上第２基準値Ｓｖ２未満であれば第３運転モードを選択する。これにより、ＧＦユニット３０が第１負荷Ｇｌに応じた運転容量で稼動し、ＨＰユニット４０が第２負荷Ｈｌに応じた運転容量で稼動する。
【０１５４】
期間Ｄにおいては、外気温Ｔｏが第２基準値Ｓｖ２以上となったことに応じて、第２運転モードが選択される。すなわち、コントローラ６０は、外気温Ｔｏが第２基準値Ｓｖ２以上であれば第２運転モードを選択する。これにより、ＧＦユニット３０が稼動を停止し、ＨＰユニット４０が熱負荷に応じた運転容量で稼動する。
【０１５５】
期間Ｅにおいては、運転停止指示が入力されたことに応じて、暖房システム１０は停止状態となる。すなわち、ファンユニット２０、ＧＦユニット３０及びＨＰユニット４０は、稼動を停止する。
【０１５６】
（６）エネルギー消費効率低下抑制機能
以下、暖房システム１０のエネルギー消費効率低下抑制機能及び快適性低下抑制機能について説明する。
【０１５７】
（６−１）エネルギー消費効率低下抑制機能
暖房システム１０は、運転中、外気温判定を行い、外気温Ｔｏが第１基準値Ｓｖ１未満である場合には第１運転モードを選択する。ここで、第１基準値Ｓｖ１は、外気温Ｔｏが第１基準値Ｓｖ１未満であればＨＰユニット４０を熱源機として稼動させるよりもＧＦユニット３０を熱源機として稼動させたほうがＣＯＰに優れる、という条件を満たす値である。すなわち、暖房システム１０では、外気温ＴｏがＨＰユニット４０を熱源機として稼動させるよりもＧＦユニット３０を熱源機として稼動させたほうがＣＯＰに優れる数値範囲にある場合においては、ＧＦユニット３０を単独で稼動させることで、エネルギー消費効率の低下を抑制している。
【０１５８】
また、暖房システム１０は、運転中、外気温判定を行い、外気温Ｔｏが第２基準値Ｓｖ２以上である場合には第２運転モードを選択する。ここで、第２基準値Ｓｖ２は、外気温Ｔｏが第２基準値Ｓｖ２以上であればＧＦユニット３０を熱源機として稼動させるよりもＨＰユニット４０を熱源機として稼動させたほうがＣＯＰに優れる、という条件を満たす値である。すなわち、暖房システム１０では、外気温ＴｏがＧＦユニット３０を熱源機として稼動させるよりもＨＰユニット４０を熱源機として稼動させたほうがＣＯＰに優れる数値範囲にある場合においては、ＨＰユニット４０を単独で稼動させることで、エネルギー消費効率の低下を抑制している。
【０１５９】
また、暖房システム１０は、運転中、外気温判定を行い、外気温Ｔｏが第１基準値Ｓｖ１以上第２基準値Ｓｖ２未満である場合には第３運転モードを選択する。ここで、外気温Ｔｏが第１基準値Ｓｖ１以上第２基準値Ｓｖ２未満である状況においては、ＧＦユニット３０又はＨＰユニット４０を単独で稼動させるよりも、ＧＦユニット３０及びＨＰユニット４０を同時に稼動させたほうが、ＣＯＰに優れ、且つ室温Ｔｉが設定温度Ｔｐに到達する時間を短縮できる。すなわち、暖房システム１０では、外気温ＴｏがＧＦユニット３０又はＨＰユニット４０を単独で稼動させるよりもＧＦユニット３０及びＨＰユニット４０を同時に稼動させたほうがＣＯＰに優れる数値範囲にある場合においては、ＧＦユニット３０及びＨＰユニット４０を同時に稼動させることで、エネルギー消費効率の低下を抑制している。
【０１６０】
以上をまとめると、暖房システム１０は、時間に伴って変化する外気温Ｔｏに関連するパラメータに応じて、エネルギー消費効率に優れた運転モードが選択されるように構成されている。すなわち、ＧＦユニット３０及びＨＰユニット４０のうち、いずれを熱源機として稼動させるか、又は双方を熱源機として稼動させるか、がエネルギー消費効率の優劣に基づいて決定されている。このようにして、エネルギー消費効率の低下が抑制されている。
【０１６１】
また、暖房システム１０は、運転中、外気温Ｔｏの変化に応じて運転モードを切り換えるとともに、外気温Ｔｏ、室温Ｔｉ及び設定温度Ｔｐの変化に応じて熱負荷、第１負荷Ｇｌ及び第２負荷Ｈｌを算出し、ＧＦユニット３０及びＨＰユニット４０のそれぞれの運転容量をリアルタイムに調整している。換言すると、暖房システム１０では、外気温Ｔｏ、室温Ｔｉ及び設定温度Ｔｐの変化に応じて、熱源機をエネルギー消費効率に優れた運転容量で稼動させることができるように構成されている。
【０１６２】
具体的には、暖房システム１０では、算出した熱負荷及び第１負荷Ｇｌに基づいて、燃焼部３６の運転容量が設定されており、ＧＦユニット３０が状況に応じた運転容量で稼動されるように構成されている。また、暖房システム１０では、算出した熱負荷及び第２負荷Ｈｌに基づいて、圧縮機４５の回転数が設定されており、ＨＰユニット４０が状況に応じた運転容量で稼動されるように構成されている。このようにして、エネルギー消費効率の低下が抑制されている。
【０１６３】
（６−２）快適性低下抑制機能
暖房システム１０では、第３運転モードで運転中、第１差分値Ｄｖ１が第１閾値ΔＴｈ１未満である時には、第１差分値Ｄｖ１が第１閾値ΔＴｈ１以上の時よりもレベルが低い運転容量で燃焼部３６が駆動されるようになっている。すなわち、暖房システム１０では、第３運転モードで運転中、室温Ｔｉが設定温度Ｔｐに近づいた時には、ＧＦユニット３０は運転容量を低減される。このため、室温Ｔｉが設定温度Ｔｐを超えることで快適性が低下することが抑制されている。
【０１６４】
また、暖房システム１０では、第３運転モードで運転中、第２差分値Ｄｖ２が第２閾値ΔＴｈ２以上である時には、第２差分値Ｄｖ２が第２閾値ΔＴｈ２未満の時よりも低い回転数で圧縮機４５が駆動されるようになっている。すなわち、暖房システム１０では、第３運転モードで運転中、室温Ｔｉが設定温度Ｔｐを所定値を超えて上回った時には、ＨＰユニット４０は運転容量を低減される。このため、室温Ｔｉが設定温度Ｔｐ付近で保たれやすく快適性が低下することが抑制されている。
【０１６５】
また、暖房システム１０は、運転中、所定の熱源機切換禁止期間が設定されることにより、当該期間内においては、熱源機の切換えが行われないようになっている。具体的には、暖房システム１０の運転が開始されてから設定時間Ｓｔ（３０分）を経過するまでの間は、熱源機切換禁止期間とされている。これにより、起動時から所定期間の間において熱源機の切換えが頻繁に行われることが抑制されており、快適性が低下しにくいように構成されている。
【０１６６】
（７）特徴
（７−１）
上記実施形態では、コントローラ６０は、運転モードとして、ＧＦユニット３０を熱源機として単独で稼動させる第１運転モードと、ＨＰユニット４０を熱源機として単独で稼動させる第２運転モードと、ＧＦユニット３０及びＨＰユニット４０を熱源機として同時に稼動させる第３運転モードと、を有し、外気温に関連するパラメータに基づいて運転モードを選択している。すなわち、時間に伴って変化する外気温Ｔｏに関連するパラメータに応じて運転モードが選択されており、ＧＦユニット３０及びＨＰユニット４０のうち、いずれを熱源機として稼動させるか、又は双方を熱源機として稼動させるか、がエネルギー消費効率の優劣に基づいて決定されている。よって、エネルギー消費効率の低下が抑制されている。
【０１６７】
（７−２）
上記実施形態では、コントローラ６０は、外気温Ｔｏが、第１基準値Ｓｖ１未満である時に第１運転モードを選択し、第１基準値Ｓｖ１よりも高い温度である第２基準値Ｓｖ２以上である時に第２運転モードを選択し、第１基準値Ｓｖ１以上第２基準値Ｓｖ２未満である時に第３運転モードを選択している。すなわち、時間に伴って変化する外気温Ｔｏに応じて、エネルギー消費効率に優れた運転モードが選択されている。よって、エネルギー消費効率の低下が精度よく抑制されている。
【０１６８】
（７−３）
上記実施形態では、コントローラ６０は、第３運転モードにおいて、外気温Ｔｏ、室温Ｔｉ及び設定温度Ｔｐに基づいて、ＧＦユニット３０によって処理される熱負荷である第１負荷Ｇｌと、ＨＰユニット４０によって処理される熱負荷である第２負荷Ｈｌと、を算出し、算出した第１負荷Ｇｌ及び第２負荷Ｈｌに基づいてＧＦユニット３０及びＨＰユニット４０の運転容量を調整している。すなわち、ＧＦユニット３０及びＨＰユニット４０が熱源機として同時に稼動されている場合において、ＧＦユニット３０及びＨＰユニット４０は、外気温Ｔｏ、室温Ｔｉ及び設定温度Ｔｐの変化に応じて、エネルギー消費効率の高い運転容量で稼動されるようになっている。よって、エネルギー消費効率の低下がさらに精度よく抑制されている。
【０１６９】
（７−４）
上記実施形態では、コントローラ６０は、第３運転モードにおいて、圧縮機４５の回転数を第２負荷Ｈｌに基づいて決定している。すなわち、ＧＦユニット３０及びＨＰユニット４０が熱源機として同時に稼動されている場合において、ＨＰユニット４０は、外気温Ｔｏ、室温Ｔｉ及び設定温度Ｔｐの変化に応じて、エネルギー消費効率の高い運転容量で稼動されるようになっている。よって、エネルギー消費効率の低下がさらに精度よく抑制されている。
【０１７０】
（７−５）
上記実施形態では、コントローラ６０は、第３運転モードにおいて、燃焼部３６の容量を第１負荷Ｇｌに基づいて決定している。すなわち、ＧＦユニット３０及びＨＰユニット４０が熱源機として同時に稼動されている場合において、ＧＦユニット３０は、外気温Ｔｏ、室温Ｔｉ及び設定温度Ｔｐの変化に応じて、エネルギー消費効率の高い運転容量で稼動されるようになっている。よって、エネルギー消費効率の低下がさらに精度よく抑制されている。
【０１７１】
（７−６）
上記実施形態では、コントローラ６０は、第３運転モードにおいて、設定温度Ｔｐから室温Ｔｉを減じた値である第１差分値Ｄｖ１が第１閾値ΔＴｈ１未満である時には、第１差分値Ｄｖ１が第１閾値ΔＴｈ１以上である時よりも運転容量の低い状態で燃焼部３６を稼動させている。すなわち、ＧＦユニット３０及びＨＰユニット４０が熱源機として同時に稼動されている場合において、室温Ｔｉが設定温度Ｔｐに近づいた時には、ＧＦユニット３０の運転容量が低減されるようになっている。このため、室温Ｔｉが設定温度Ｔｐを超えることが抑制されている。よって、快適性の低下が抑制されている。
【０１７２】
（７−７）
上記実施形態では、コントローラ６０は、第３運転モードにおいて、室温Ｔｉから設定温度Ｔｐを減じた値である第２差分値Ｄｖ２が第２閾値ΔＴｈ２以上の時には、第２差分値Ｄｖ２が第２閾値ΔＴｈ２未満の時よりも圧縮機４５の回転数を低く設定している。すなわち、ＧＦユニット３０及びＨＰユニット４０が熱源機として同時に稼動されている場合において、室温Ｔｉが設定温度Ｔｐを所定値を超えて上回った時には、ＨＰユニット４０の運転容量が低減されるようになっている。このため、室温Ｔｉが設定温度Ｔｐ付近で保たれやすいようになっている。よって、快適性の低下が抑制されている。
【０１７３】
（８）変形例
（８−１）変形例Ａ
上記実施形態では、空調システムとして暖房システム１０が採用されたが、これに限定されない。例えば、ＨＰユニット４０の室外機４３内に四路切換弁を配設し、暖房運転とは別に冷房運転が可能な空調システムとしてもよい。係る場合、冷房運転時において、室内熱交換器４２は冷媒の蒸発器として機能し、室外熱交換器４７は冷媒の放熱器若しくは凝縮器として機能する。
【０１７４】
（８−２）変形例Ｂ
上記実施形態では、外気温センサ５０は、ケーブル（図示省略）を介して室外機制御部５１と接続されていたが、直接コントローラ６０と接続するようにしてもよい。係る場合、外気温センサ５０がＡ／Ｄ変換してディジタル信号をコントローラ６０に送信するか、コントローラ６０においてアナログ信号を受けてＡ／Ｄ変換を行う。
【０１７５】
（８−３）変形例Ｃ
上記実施形態では、コントローラ６０は、ケーブル６０１を介して、各部と接続されていたが、室外機制御部５１、第１電力供給部２１１、第２電力供給部３４２、ガスバルブ開閉部３５１及びプラグ用電力供給部３６２のうちのいずれか若しくは全てをコントローラ６０内に配設してもよい。
【０１７６】
（８−４）変形例Ｄ
上記実施形態では、コントローラ６０は、電装品ユニット５２に含まれていたが、これに限定されない。例えば、コントローラ６０は、電装品箱１４内に配設されてもよく、また、室外機４３内に配設されてもよい。また、コントローラ６０に含まれる記憶部６１、切換制御部６２、ファンユニット制御部６３、ＧＦユニット制御部６４、ＨＰユニット制御部６５及び表示制御部６６のいずれか又は全ては、ＬＡＮやＷＡＮなどのネットワークで接続された遠隔地などに配設されてもよい。また、切換制御部６２に含まれる取得部６２１、演算部６２２、判定部６２３、モード選択部６２４、運転容量設定部６２５及び駆動信号生成部６２６のいずれか又は全てについても、ＬＡＮやＷＡＮなどのネットワークで接続された遠隔地などに配設されてもよい。
【０１７７】
（８−５）変形例Ｅ
上記実施形態では、切換制御部６２、ファンユニット制御部６３、ＧＦユニット制御部６４、ＨＰユニット制御部６５及び表示制御部６６は、記憶部６１から制御プログラムを取得していた。しかし、これに限定されず、例えば、ファンユニット制御部６３、ＧＦユニット制御部６４、ＨＰユニット制御部６５及び表示制御部６６のそれぞれに記憶領域を持たせて当該記憶領域に制御プログラムを格納するようにしてもよい。
【０１７８】
（８−６）変形例Ｆ
上記実施形態では、設定値Ｐｖ１は、−５（℃）に設定されていた。しかし、設定値Ｐｖ１は、これに限定されず、設置環境に応じて適当な数値を設定されればよい。例えば、設定値Ｐｖ１は、−７（℃）や−３（℃）に設定されてもよい。
【０１７９】
（８−７）変形例Ｇ
上記実施形態では、第１基準値Ｓｖ１は−１１（℃）に設定され、第２基準値Ｓｖ２は−２（℃）に設定されていた。しかし、第１基準値Ｓｖ１は、外気温Ｔｏが第１基準値Ｓｖ１未満であればＨＰユニット４０を熱源機として稼動させるよりもＧＦユニット３０を熱源機として稼動させたほうがＣＯＰに優れる、という条件を満たす限り、いかなる値に設定されてもよい。例えば、第１基準値Ｓｖ１は、−８（℃）に設定されてもよく、−１５（℃）に設定されてもよい。また、第２基準値Ｓｖ２は、外気温Ｔｏが第２基準値Ｓｖ２以上であればＧＦユニット３０を熱源機として稼動させるよりもＨＰユニット４０を熱源機として稼動させたほうがＣＯＰに優れる、という条件を満たす限り、いかなる値に設定されてもよい。例えば、第２基準値Ｓｖ２は、０（℃）に設定されてもよく、−５（℃）に設定されてもよい。
【０１８０】
（８−８）変形例Ｈ
上記実施形態では、第１閾値ΔＴｈ１は１０（℃）に設定され、第２閾値ΔＴｈ２は１（℃）に設定されていた。しかし、第１閾値ΔＴｈ１及び第２閾値ΔＴｈ２は、これに限定されず、設置環境に応じて適当な数値を設定されればよい。例えば、第１閾値ΔＴｈ１は８（℃）に設定されてもよく、又は１２（℃）に設定されてもよい。また、第２閾値ΔＴｈ２は０（℃）に設定されてもよく、又は３（℃）に設定されてもよい。
【０１８１】
（８−９）変形例Ｉ
上記実施形態では、暖房システム１０の運転開始時（起動時）から設定時間Ｓｔ（３０分）を経過するまでの間は、稼動させる熱源機の切換えを禁止する熱源機切換禁止期間とされていた。しかし、熱源機切換禁止期間については、必ずしも必要ではなく省略可能である。係る場合、図７のフローチャートにおいてステップＳ１０５が省略される。
【０１８２】
（８−１０）変形例Ｊ
上記実施形態では、コントローラ６０は、外気温Ｔｏが所定値になった時に運転モードを切り換える制御を行っていた（図７のステップＳ１０７、Ｓ１０８、Ｓ１１１、Ｓ１１２及びＳ１１５参照）。しかし、これに限定されず、当該制御において所定の遅延時間を設けてもよい。
【０１８３】
例えば、コントローラ６０は、運転中において、外気温Ｔｏが第１基準値Ｓｖ１未満となった時から所定時間経過後に、第１運転モードを選択するようにしてもよい。また、コントローラ６０は、運転中において、外気温Ｔｏが第２基準値Ｓｖ２以上となった時から所定時間経過後に、第２運転モードを選択するようにしてもよい。また、コントローラ６０は、運転中において、外気温Ｔｏが第１基準値Ｓｖ１以上第２基準値Ｓｖ２未満となった時から所定時間経過後に、第３運転モードを選択するようにしてもよい。
【０１８４】
これにより、確実に条件を満たす場合に運転モードを切換えることが可能となる。なお、当該遅延時間は、例えば３０秒や１分に設定されるが、これに限定されず、設置環境に応じて適当な数値を設定されればよい。
【０１８５】
（８−１１）変形例Ｋ
上記実施形態では、コントローラ６０は、第１差分値Ｄｖ１が所定の設定値Ｐｖ１以上であるか否かの判定である室温判定を所定のタイミングにおいて行っていた（図７のステップＳ１０３参照）。しかし、当該室温判定については、必ずしも必要ではなく省略可能である。係る場合、図７のフローチャートにおいて、ステップＳ１０３及びＳ１０４が省略される。
【０１８６】
（８−１２）変形例Ｌ
上記実施形態では、差分値判定において、第１差分値Ｄｖ１が第１閾値ΔＴｈ１未満である場合には、第１負荷Ｇｌが算出され、算出された第１負荷Ｇｌに基づいて設定された運転容量でＧＦユニット３０が稼動するように制御されていた（図７のステップＳ１１７からステップＳ１１９を参照）。しかし、これに限定されず、第１差分値Ｄｖ１が第１閾値ΔＴｈ１未満である場合には、燃焼部３６の動作を停止させる（すなわち、ＧＦユニット３０の稼動を停止させる）ように制御してもよい。係る場合、図７のステップＳ１１７及びステップＳ１１８を省略し、ステップＳ１１９において、ＧＦユニット停止信号が駆動信号生成部６２６からＧＦユニット制御部６４に出力されるように構成すればよい。
【０１８７】
（８−１３）変形例Ｍ
上記実施形態では、差分値判定において、第２差分値Ｄｖ２が第２閾値ΔＴｈ２以上である場合には、第２負荷Ｈｌが算出され、算出された第２負荷Ｈｌに基づいて設定された運転容量でＨＰユニット４０が稼動するように制御されていた（図７のステップＳ１２１からステップＳ１２３を参照）。しかし、これに限定されず、第２差分値Ｄｖ２が第２閾値ΔＴｈ２以上である場合には、圧縮機４５の駆動を停止させる（すなわち、ＨＰユニット４０の稼動を停止させる）ように制御してもよい。係る場合、図７のステップＳ１２１及びステップＳ１２２を省略し、ステップＳ１２３において、ＨＰユニット停止信号が駆動信号生成部６２６からＨＰユニット制御部６５に出力されるように構成すればよい。
【０１８８】
（８−１４）変形例Ｎ
上記実施形態では、判定部６２３は、計測時間Ｃｔが設定時間Ｓｔ以上であるか否かを判断しており、当該判断における設定時間Ｓｔは３０分に設定されていた。しかし、設定時間Ｓｔは、これに限定されず、設置環境に応じて適宜変更が可能である。例えば、設定時間Ｓｔは、２０分に設定されてもよく、あるいは１時間に設定されてもよい。
【０１８９】
（８−１５）変形例Ｏ
上記実施形態では、暖房システム１０の電源が投入されて運転開始指示が入力されると、切換制御部６２は、図７に示すような流れの処理を行っていた。しかし、切換制御部６２は、図９に示すような流れの処理を行ってもよい。以下、図９に示す処理の流れについて説明する。
【０１９０】
図９におけるステップＳ１０１からステップＳ１１５までは、ステップＳ１０７´及びＳ１１１´を除いて、図７のものと同一である。
【０１９１】
ステップＳ１０７´においては、判定部６２３が、外気温Ｔｏが第１基準値Ｓｖ１以上であるか否かを判定する代わりに、蒸発温度Ｔｅが第３基準値Ｓｖ３以上であるか否かを判定する外気温判定を行う。当該外気温判定の結果、判定がＮＯの場合（すなわち、蒸発温度Ｔｅが第３基準値Ｓｖ３未満である場合）には、判定部６２３は、外気温低判定信号をモード選択部６２４に出力する。そして、ステップＳ１０８へ進む。一方、判定がＹＥＳの場合（すなわち、蒸発温度Ｔｅが第３基準値Ｓｖ３以上である場合）には、ステップＳ１１１´へ進む。なお、第３基準値Ｓｖ３は、蒸発温度Ｔｅが第３基準値Ｓｖ３未満であればＨＰユニット４０を熱源機として稼動させるよりもＧＦユニット３０を熱源機として稼動させたほうがＣＯＰに優れる、という条件を満たす値として、予め制御プログラムにおいて設定されている。例えば、第３基準値Ｓｖ３は、−５（℃）に設定されるが、これに限定されず、使用する冷媒や設置環境に応じて適宜変更が可能である。
【０１９２】
ステップＳ１１１´においては、判定部６２３が、蒸発温度Ｔｅが第４基準値Ｓｖ４未満であるか否かを判定する外気温判定を行う。当該外気温判定の結果、判定がＮＯの場合（すなわち、蒸発温度Ｔｅが第４基準値Ｓｖ４以上である場合）には、判定部６２３は、外気温高判定信号をモード選択部６２４に出力する。そして、ステップＳ１１２へ進む。一方、判定がＹＥＳの場合（すなわち、蒸発温度Ｔｅが第４基準値Ｓｖ４未満である場合）には、判定部６２３は、外気温中判定信号をモード選択部６２４に出力する。そして、ステップＳ１１５へ進む。なお、第４基準値Ｓｖ４は、蒸発温度Ｔｅが第４基準値Ｓｖ４以上であればＧＦユニット３０を熱源機として稼動させるよりもＨＰユニット４０を熱源機として稼動させたほうがＣＯＰに優れる、という条件を満たす値として、予め制御プログラムにおいて、第３基準値Ｓｖ３より高く設定されている。例えば、第４基準値Ｓｖ４は、５（℃）に設定されるが、これに限定されず、使用する冷媒や設置環境に応じて適宜変更が可能である。
【０１９３】
ここで、蒸発温度Ｔｅは、外気温Ｔｏの変化に応じて変化する。具体的には、外気温Ｔｏが上昇すれば蒸発温度Ｔｅも上昇し、外気温Ｔｏが下降すれば蒸発温度Ｔｅも下降する。すなわち、蒸発温度Ｔｅは、「外気温Ｔｏに関連するパラメータ」といえる。
【０１９４】
ステップＳ１１５においては、モード選択部６２４が、判定部６２３から出力された外気温中判定信号を受けて、第３運転モードを選択し、第３運転モード選択信号を判定部６２３に出力する。そして、ステップＳ２１６へ進む。
【０１９５】
ステップＳ２１６においては、演算部６２２が、モード選択部６２４から出力された第３運転モード選択信号を受けて、ＧＦユニット３０を駆動させた場合の第１コストＧｃと、ＨＰユニット４０を駆動させた場合の第２コストＨｃと、を算出する。また、演算部６２２は、算出した第１コストＧｃ及び第２コストＨｃを判定部６２３に出力する。そして、ステップＳ２１７へ進む。
【０１９６】
ステップＳ２１７においては、判定部６２３が、演算部６２２から出力された第１コストＧｃが第２コストＨｃ以上か否かを判定するコスト判定を行う。コスト判定の結果、判定がＮＯの場合（すなわち、第１コストＧｃが第２コストＨｃ未満である場合）には、判定部６２３は、第１コスト小判定信号を運転容量設定部６２５に出力する。そして、ステップＳ２１８へ進む。一方、判定がＹＥＳの場合（すなわち、第１コストＧｃが第２コストＨｃ以上である場合）には、判定部６２３は、第１コスト大判定信号を運転容量設定部６２５に出力する。そして、ステップＳ２２１へ進む。
【０１９７】
ステップＳ２１８においては、運転容量設定部６２５が、判定部６２３から出力された第１コスト小判定信号を受けて、第１負荷ＧＩ及び第２負荷ＨＩを算出する。なお、制御プログラムにおいて、第１コスト小判定信号を受けた場合における熱負荷と、第１コストＧｃと、第１負荷ＧＩとの相関関係について定義され、また、第１コスト小判定信号を受けた場合における熱負荷と、第２コストＨｃと、第２負荷ＨＩとの相関関係について定義されている。運転容量設定部６２５は、当該制御プログラムに沿って第１負荷ＧＩ及び第２負荷ＨＩを算出する。より詳細には、運転容量設定部６２５は、ＧＦユニット３０を主熱源機として稼動させるとともにＨＰユニット４０を補助熱源機として稼動させるべく、演算部６２２から出力された熱負荷の大部分を第１負荷ＧＩとし、熱負荷から第１負荷ＧＩを除いた残りを第２負荷ＨＩ（「第３負荷」に相当）として設定する。係る場合における第１負荷ＧＩと第２負荷ＨＩの比率は、例えば、７：３や８：２に設定される。但し、これに限定されず、適宜変更は可能である。以上の処理の後、ステップＳ２１９へ進む。
【０１９８】
ステップＳ２１９においては、運転容量設定部６２５が、算出した第１負荷Ｇｌに基づいてＧＦユニット３０の運転容量を設定し、設定した運転容量のレベルを示すＧＦ容量設定信号を駆動信号生成部６２６に出力する。また、運転容量設定部６２５は、算出した第２負荷Ｈｌに基づいてＨＰユニット４０の運転容量を設定し、設定した運転容量のレベルを示すＨＰ容量設定信号を駆動信号生成部６２６に出力する。そして、ステップＳ２２０へ進む。
【０１９９】
ステップＳ２２０においては、駆動信号生成部６２６が、運転容量設定部６２５から出力されたＧＦ容量設定信号を受けて、当該ＧＦ容量設定信号とともにＧＦユニット駆動信号をＧＦユニット制御部６４に出力する。また、駆動信号生成部６２６は、運転容量設定部６２５から出力されたＨＰ容量設定信号を受けて、当該ＨＰ容量設定信号とともにＨＰユニット駆動信号をＨＰユニット制御部６５に出力する。また、駆動信号生成部６２６は、ＨＰユニット駆動信号を取得部６２１へ出力する。そして、ステップＳ１０１へ戻る。
【０２００】
ステップＳ２２１においては、運転容量設定部６２５が、判定部６２３から出力された第１コスト大判定信号を受けて、第１負荷ＧＩ及び第２負荷ＨＩを算出する。なお、制御プログラムにおいて、第１コスト大判定信号を受けた場合における熱負荷と、第１コストＧｃと、第１負荷ＧＩとの相関関係について定義されており、また、第１コスト大判定信号を受けた場合における熱負荷と、第２コストＨｃと、第２負荷ＨＩとの相関関係について定義されている。運転容量設定部６２５は、当該制御プログラムに沿って第１負荷ＧＩ及び第２負荷ＨＩを算出する。より詳細には、運転容量設定部６２５は、ＨＰユニット４０を主熱源機として稼動させるとともにＧＦユニット３０を補助熱源機として稼動させるべく、演算部６２２から出力された熱負荷の大部分を第２負荷ＨＩとし、熱負荷から第２負荷ＨＩを除いた残りを第１負荷ＧＩ（「第３負荷」に相当）として設定する。係る場合における第１負荷ＧＩと第２負荷ＨＩの比率は、例えば、３：７や２：８に設定される。但し、これに限定されず、適宜変更は可能である。以上の処理の後、ステップＳ２２２へ進む。
【０２０１】
ステップＳ２２２においては、運転容量設定部６２５が、ステップＳ２１９と同様の処理を行う。そして、ステップＳ２２３へ進む。
【０２０２】
ステップＳ２２３においては、駆動信号生成部６２６が、ステップＳ２２０と同様の処理を行う。そして、ステップＳ１０１へ戻る。
【０２０３】
以上のように、切替制御部６２において図９に示すような処理を行われる場合、第３運転モードにおいて、ＧＦユニット３０及びＨＰユニット４０のうち、運転コストの低い方が主熱源機として稼動され、運転コストの高い方が補助熱源機として稼動される。また、補助熱源機によって処理される負荷が算出され、これに基づいて補助熱源機の運転容量が調整される。すなわち、ＧＦユニット３０及びＨＰユニット４０を同時運転する場合において、ＧＦユニット３０及びＨＰユニット４０のうち、運転コストの低いほうの運転容量が高く設定され、運転コストの高いほうの運転容量が低く設定される。これにより、運転コストの上昇が抑制される。
【産業上の利用可能性】
【０２０４】
本発明は、ガスファーネスユニットとヒートポンプユニットとを備える空調システムに利用可能である。
【符号の説明】
【０２０５】
１０    暖房システム
１２    吸気口
１３    排気口
２０    ファンユニット（送風機）
３０    ガスファーネスユニット（ＧＦユニット）
３１    熱交換部（加熱部）
３２    ガスファーネス本体部（ＧＦ本体部）
３４    ファン
３５    ガスバルブ
３６    燃焼部
３７    燃焼ガスパイプ
４０    ヒートポンプユニット（ＨＰユニット）
４２    室内熱交換器（放熱器）
４８    冷媒温度センサ（第２温度センサ）
５０    外気温センサ（第１温度センサ）
５１    室外機制御部
５２    電装品ユニット
５３    室温センサ（第３温度センサ）
６０    コントローラ
６１    記憶部
６２    切換制御部
６３    ファンユニット制御部
６４    ガスファーネスユニット制御部（ＧＦユニット制御部）
６５    ヒートポンプユニット制御部（ＨＰユニット制御部）
１００    住宅
１０１、１０２、１０３、１０４    部屋
１０５    地下室
２１１    第１電力供給部
３４２    第２電力供給部
３５１    ガスバルブ開閉部
３６１    プラグ
３６２    プラグ用電力供給部
６０１    ケーブル
６２１    取得部
６２２    演算部
６２３    判定部
６２４    モード選択部
６２５    運転容量設定部
６２６    駆動信号生成部
ＡＦ１    空気流
Ｄｖ１    第１差分値
Ｄｖ２    第２差分値
Ｃｔ    計測時間
Ｇｃ    第１コスト
Ｇｌ    第１負荷
ＧＰ    ガス管
Ｈｃ    第２コスト
Ｈｌ    第２負荷
Ｍ２１    第１ファンモータ
Ｐｖ１    設定値
Ｓｔ    設定時間
Ｓｖ１    第１基準値
Ｓｖ２    第２基準値
Ｓｖ３    第３基準値
Ｓｖ４    第４基準値
Ｔｅ    蒸発温度
Ｔｉ    室温（室内温度）
Ｔｏ    外気温
Ｔｐ    設定温度
ΔＴｈ１    第１閾値
ΔＴｈ２    第２閾値
【先行技術文献】
【特許文献】
【０２０６】
【特許文献１】特開平１−５４１６０号公報
【図１】
2015068607.tif 000003
【図２】
2015068607.tif 000004
【図３】
2015068607.tif 000005
【図４】
2015068607.tif 000006
【図５】
2015068607.tif 000007
【図６】
2015068607.tif 000008
【図７】
2015068607.tif 000009
【図８】
2015068607.tif 000010
【図９】
2015068607.tif 000011